(57)【要約】【課題】  装置を大型化させることなく、対物レンズやスピンドルモーターのチルト調整を可能にした、良好な再生品質を保つことができる光ディスク再生装置およびチルト調整方法を提供する。【解決手段】  光ディスク再生装置は、ターンテーブル上に載置された光ディスクを、傾斜手段によって故意に傾斜させた状態で、再生手段を用いて再生信号を生成し、コントローラーにおいて、傾斜した状態で回転する光ディスクの所定の２つの位置の再生信号エンベロープをサンプリング後、メモリし、２つの位置とのエンベロープに差がある場合は、補正手段１０６ａを駆動する。補正手段１０６ａは、この差を無くすように、再生手段１０５の傾斜を可変する。【選択図】  図１
2007018578.tif 000002
【特許請求の範囲】
【請求項１】
光ディスクを載置するためのターンテーブルと、
上記ターンテーブルの回転軸に対して上記光ディスクを傾斜させる、上記ターンテーブルに配設された傾斜手段と、
上記ターンテーブルを回転駆動するスピンドルモーターと、
上記光ディスクに光ビームを照射するとともに、当該光ビームの戻り光に基づいて、光ディスクに記録された情報の再生信号を生成する再生手段とを備えた光ディスク再生装置であって、
上記傾斜手段によって傾斜している上記光ディスクが一回転する間の、当該光ディスクの表面への上記光ビームの照射角度の平均角度を垂直にする調整手段を備えていることを特徴とする光ディスク再生装置。
【請求項２】
光ディスクを載置するためのターンテーブルと、
上記ターンテーブルの回転軸に対して上記光ディスクを傾斜させる、上記ターンテーブルに配設された傾斜手段と、
上記ターンテーブルを回転駆動するスピンドルモーターと、
上記光ディスクに光ビームを照射するとともに、当該光ビームの戻り光に基づいて、光ディスクに記録された情報の再生信号を生成する再生手段とを備えた光ディスク再生装置であって、
上記傾斜手段によって傾斜している上記光ディスクが一回転する間の、当該光ディスクの表面における所定の位置と、当該位置から１／２回転した位置との各上記再生信号のエンベロープを一致させる調整手段を備えていることを特徴とする光ディスク再生装置。
【請求項３】
上記調整手段は、
上記回転軸に対して上記傾斜手段と同じ位置に配設した位置標識部、および当該位置標識部を検知して位置信号を生成する生成部を有する位置信号生成手段と、
上記位置信号に基づいて、上記光ディスクにおける、上記傾斜手段による傾斜角度が最大である位置と、当該位置から光ディスクが１／２回転した位置との各上記再生信号を取得し、当該各再生信号のエンベロープを一致させる合致手段とを備えていることを特徴とする請求項１または２に記載の光ディスク再生装置。
【請求項４】
上記調整手段は、
上記回転軸に対して上記傾斜手段と同じ位置に配設した位置標識部、および当該位置標識部を検知して位置信号を生成する生成部を有する位置信号生成手段と、
上記位置信号を取得し、当該位置信号を、上記光ディスクが１／４回転する所要時間遅延させた遅延信号を生成する遅延手段と、
上記遅延信号に基づいて、光ディスクにおける、上記傾斜手段による傾斜角度が最大である位置から１／４回転した位置と、当該位置から１／２回転した位置との各上記再生信号を取得し、当該各再生信号のエンベロープを一致させる合致手段とを備えていることを特徴とする請求項１または２に記載の光ディスク再生装置。
【請求項５】
上記調整手段は、
上記回転軸に対して上記傾斜手段と同じ位置に配設した位置標識部、および当該位置標識部を検知して位置信号を生成する生成部を有する位置信号生成手段と、
上記位置信号に基づいて、上記光ディスクにおける、上記傾斜手段による傾斜角度が最大である位置、当該位置から当該光ディスクが１／４回転、１／２回転、３／４回転した位置の各上記再生信号を取得するとともに、当該光ディスクの傾斜角度が最大である位置と当該１／２回転した位置との、および当該１／４回転した位置と当該３／４回転した位置との再生信号のエンベロープをそれぞれ一致させる合致手段とを備えていることを特徴とする請求項１または２に記載の光ディスク再生装置。
【請求項６】
上記調整手段は、
上記回転軸に対して上記傾斜手段とは異なる位置に配設した位置標識部、および当該位置標識部を検出して位置信号を生成する生成部を有する位置信号生成手段と、
上記位置信号を取得し、上記光ディスクが、上記回転軸を中心として、上記位置標識部が設けられた位置と、上記傾斜手段の配設位置とによって形成される角度回転するために要する時間、当該位置信号を遅延させた遅延信号を生成する遅延手段と、
上記遅延信号に基づいて、上記光ディスクにおける、上記傾斜手段による傾斜角度が最大である位置と、当該位置から１／２回転した位置との各上記再生信号を取得し、当該各再生信号のエンベロープを一致させる合致手段とを備えていることを特徴とする請求項１または２に記載の光ディスク再生装置。
【請求項７】
上記調整手段は、
上記回転軸に対して上記傾斜手段とは異なる位置に配設した位置標識部、および当該位置標識部を検出して位置信号を生成する生成部を有する位置信号生成手段と、
上記位置信号を取得し、上記光ディスクが、上記回転軸を中心として、上記位置標識部が設けられた位置と、上記傾斜手段の配設位置から１／４回転した位置とによって形成される角度回転するために要する時間、当該位置信号を遅延させた遅延信号を生成する遅延手段と、
上記遅延信号に基づいて、上記光ディスクにおける、上記傾斜角度が最大である位置から１／４回転した位置と、当該位置から１／２回転した位置との各上記再生信号を取得し、当該各再生信号のエンベロープを一致させる合致手段とを備えていることを特徴とする請求項１または２に記載の光ディスク再生装置。
【請求項８】
上記調整手段は、
上記回転軸に対して上記傾斜手段とは異なる位置に配設した位置標識部、および当該位置標識部を検出して位置信号を生成する生成部を有する位置信号生成手段と、
上記位置信号を取得し、上記光ディスクが、上記回転軸を中心として、上記位置標識部が設けられた位置と、上記傾斜手段の配設位置とによって形成される角度回転するために要する時間、当該位置信号を遅延させた遅延信号を生成する遅延手段と、
上記遅延信号に基づいて、上記光ディスクにおける、上記傾斜手段による傾斜角度が最大である位置、当該位置から当該光ディスクが１／４回転、１／２回転、３／４回転した位置の各上記再生信号を取得するとともに、当該傾斜角度が最大である位置と当該１／２回転した位置との、および当該１／４回転した位置と当該３／４回転した位置との各再生信号のエンベロープを一致させる合致手段とを備えていることを特徴とする請求項１または２に記載の光ディスク再生装置。
【請求項９】
上記調整手段は、上記再生手段の配設角度を可変する補正手段を備えていることを特徴とする請求項１から８までの何れか１項に記載の光ディスク再生装置。
【請求項１０】
上記調整手段は、上記スピンドルモーターの配設角度を可変する補正手段を備えていることを特徴とする請求項１から８までの何れか１項に記載の光ディスク再生装置。
【請求項１１】
上記調整手段は、印加電圧によって透過光量を制御するシャッター部を複数有したシャッター機構を、上記光ビームの光路上に備えていることを特徴とする請求項２から８までの何れか１項に記載の光ディスク再生装置。
【請求項１２】
上記光ディスクを上記ターンテーブルに固定する固定手段を備えており、
さらに、上記傾斜手段が上記光ディスクを上記ターンテーブルに対して平行に載置されている状態から最終傾斜角度まで傾けている間、上記固定手段を解除する解除手段を備えていることを特徴とする請求項１から１０までの何れか１項に記載の光ディスク再生装置。
【請求項１３】
上記傾斜手段が上記光ディスクを上記ターンテーブルに対して平行に載置されている状態から最終傾斜角度まで傾けている間、当該光ディスクを、当該ターンテーブル上から離脱させる離脱手段を備えていることを特徴とする請求項１から１０までの何れか１項に記載の光ディスク再生装置。
【請求項１４】
光ディスクに記録された情報を再生するための光ディスク再生装置に設けられたスピンドルモーターまたは対物レンズのチルト調整方法であって、
上記光ディスクをターンテーブルに載置する載置工程と、
上記載置工程で上記ターンテーブルに載置した上記光ディスクに光ビームを照射して、当該光ビームの戻り光に基づいて光ディスクに記録された情報の再生信号を生成する再生信号生成工程と、
上記光ディスクを、スピンドルモーターの回転軸に対して傾斜させる傾斜工程と、
上記傾斜工程によって傾斜している上記光ディスクが一回転する間の、当該光ディスクの表面への上記光ビームの照射角度の平均角度を垂直にする調整工程とを含むことを特徴とするチルト調整方法。
【請求項１５】
光ディスクに記録された情報を再生するための光ディスク再生装置に設けられたスピンドルモーターまたは対物レンズのチルト調整方法であって、
上記光ディスクをターンテーブル上に載置する工程と、
上記載置工程で上記ターンテーブルに載置した上記光ディスクに光ビームを照射して、当該光ビームの戻り光に基づいて光ディスクに記録された情報の再生信号を生成する再生信号生成工程と、
上記光ディスクを、スピンドルモーターの回転軸に対して傾斜させる傾斜工程と、
上記傾斜手段によって傾斜した上記光ディスクが一回転する間の、当該光ディスクの表面の所定の位置と、当該位置から１／２回転した位置とにおける、上記再生信号生成工程によって生成された各再生信号のエンベロープを一致させる調整工程とを含むことを特徴とするチルト調整方法。
【請求項１６】
上記調整工程では、
上記傾斜工程によって傾斜した上記光ディスクの傾斜角度が最大である位置を示す位置信号を生成する位置信号生成工程と、
上記位置信号生成工程によって生成された上記位置信号を取得して、上記光ディスクにおける、上記傾斜工程による傾斜角度が最大である位置と、当該位置から光ディスクが１／２回転した位置との各上記再生信号を取得し、当該各再生信号のエンベロープを一致させる合致工程とを含むことを特徴とする請求項１４または１５に記載のチルト調整方法。
【請求項１７】
上記調整工程では、
上記傾斜工程によって傾斜した上記光ディスクの傾斜角度が最大である位置を示す位置信号を生成する位置信号生成工程と、
上記位置信号生成工程によって生成された上記位置信号を、上記光ディスクの１／４回転所要時間遅延させて、遅延信号を生成する遅延工程と、
上記遅延信号を取得して、上記光ディスクの傾斜角度が最大である位置から１／４回転した位置と、当該位置から１／２回転した位置とにおける各上記再生信号のエンベロープを一致させる合致工程とを含むことを特徴とする請求項１４または１５に記載のチルト調整方法。
【請求項１８】
上記調整工程では、
上記傾斜工程によって傾斜した上記光ディスクの傾斜角度が最大である位置を示す位置信号を生成する位置信号生成工程と、
上記位置信号生成工程によって生成された上記位置信号を取得して、上記光ディスクにおける、上記傾斜工程による傾斜角度が最大である位置、当該位置から当該光ディスクが１／４回転、１／２回転、３／４回転した位置の各上記再生信号を取得するとともに、当該光ディスクの傾斜角度が最大である位置と当該１／２回転した位置との、および当該１／４回転した位置と当該３／４回転した位置との再生信号のエンベロープをそれぞれ一致させる合致工程とを含むことを特徴とする請求項１４または１５に記載のチルト調整方法。
【請求項１９】
上記調整工程では、
上記傾斜工程によって傾斜した上記光ディスクの傾斜角度が最大である位置とは異なる所定の位置を示す位置信号を生成する位置信号生成工程と
上記位置信号を取得して、当該位置信号を所定時間遅延させて、遅延信号を生成する遅延工程と、
上記遅延信号に基づいて、上記光ディスクの傾斜角度が最大である位置と、当該位置から１／２回転した位置とにおける各上記再生信号のエンベロープを一致させる合致工程とを備えていることを特徴とする請求項１４または１５に記載のチルト調整方法。
【請求項２０】
上記調整工程では、
上記傾斜工程によって傾斜した上記光ディスクの傾斜角度が最大である位置とは異なる所定の位置を示す位置信号を生成する位置信号生成工程と
上記位置信号を取得して、当該位置信号を所定時間遅延させて、遅延信号を生成する遅延工程と、
上記遅延信号に基づいて、上記光ディスクの傾斜角度が最大である位置から１／４回転した位置と、当該位置から１／２回転した位置とにおける各上記再生信号のエンベロープを一致させる合致工程とを含むことを特徴とする請求項１４または１５に記載のチルト調整方法。
【請求項２１】
上記調整工程では、
上記傾斜工程によって傾斜した上記光ディスクの傾斜角度が最大である位置とは異なる所定の位置を示す位置信号を生成する位置信号生成工程と
上記位置信号を取得して、当該位置信号を所定時間遅延させて、遅延信号を生成する遅延工程と、
上記遅延信号に基づいて、上記光ディスクにおける、上記傾斜工程による傾斜角度が最大である位置、当該位置から光ディスクが１／４回転、１／２回転、３／４回転した位置の各上記再生信号を取得するとともに、当該傾斜角度が最大である位置と当該１／２回転した位置との、および当該１／４回転した位置と当該３／４回転した位置との各再生信号のエンベロープを比較して、それぞれを一致させる合致工程とを含むことを特徴とする請求項１４または１５に記載のチルト調整方法。
【請求項２２】
上記調整工程では、上記光ディスクに照射する光ビームの照射角度を可変することを特徴とする請求項１４から２１までの何れか１項に記載のチルト調整方法。
【請求項２３】
上記調整工程では、上記スピンドルモーターの配設角度を可変することを特徴とする請求項１４から２１までの何れか１項に記載のチルト調整方法。
【請求項２４】
上記調整工程では、上記光ビームの照射光量を調整することを特徴とする請求項１５から２１までの何れか１項に記載のチルト調整方法。
【請求項２５】
上記載置工程では、上記光ディスクが所定の圧力で上記ターンテーブルに固定されており、
上記傾斜工程前に、上記所定の圧力を解除する解除工程を含むことを特徴とする請求項１４から２４までの何れか１項に記載のチルト調整方法。
【発明の詳細な説明】
【技術分野】
【０００１】
本発明は、チルト調整方法およびこれを用いた光ディスク再生装置に関し、詳細には、ディスク再生において、安定した再生を行えるチルト調整方法およびこれを用いた光ディスク再生装置に関するものである。
【背景技術】
【０００２】
一般的に、ＣＤ、ＤＶＤ等の光ディスクにおいては光ディスクの反り等によって、ピックアップから照射される光ビームの光軸と、照射位置における光ディスク面とのなす角度（チルト角）が垂直からずれるという問題が生じる。このようなずれ（チルト）は、光学系のコマ収差の原因となり、隣接トラック間とのクロストークやジッターの劣化などを引き起こすため光ディスクの再生品質に悪影響を与える。また、特にＢｌｕ−ｒａｙディスク等のように高密度記録を実現しようとする場合は、レーザービームのスポット径を小さくするために、レーザーの波長λを短くして、対物レンズの開口数ＮＡを大きくする必要があり、チルト角に対するマージンが小さくなる。すなわち、高密度記録を実現しようとする場合、ディスクがわずかに傾いていても、再生品質の大きな劣化を招く。そこで、光ディスクの再生動作中においてチルト角による収差を補正するために、一般的には、チルト角の検出を行うための専用の光ビームおよびディテクタからなるチルトセンサと、チルト角に応じて光ピックアップの傾きを制御する機構とを設けて、チルトサーボをかける手法が用いられている（例えば、特許文献１を参照）。具体的には、組み立て誤差による対物レンズのチルトや、スピンドルモーターのチルトを調整したのち、対物レンズからの出射光の光軸とチルトセンサの測定光の光軸とが一致していると仮定して、チルトサーボ動作によりチルトセンサの測定光の光軸のみを光ディスクに対して垂直になるよう制御する手法であり、この結果、対物レンズからの出射光の光軸もディスクに対して垂直に制御されるという技術である。
【０００３】
しかしなから、特許文献１に開示されているような手法の場合、チルトサーボにより対物レンズからの出射光の光軸、およびチルトセンサの測定光の光軸の両方を光ディスクの傾きに追従させるものであり、一般的に被駆動装置が大きく、そのため、応答速度が遅く、また回転ごとの面ブレに追従することが難しいという問題が生じる。
【０００４】
また、再生信号読み出し用の光学系部品の他に一対の光ビームと光センサを備えたチルトセンサをピックアップ上に設置する必要があり、コストアップの要因となるとともに、スペースを取ることから、装置の小型化を図るには不利であり、また、信号読み出し用レーザービーム（つまり、対物レンズからの出射光）の光軸とチルトセンサの測定光の光軸との間にずれが発生するために、チルトセンサの光軸調整機構や、光軸ずれを補正する技術の採用が必要であった。
【０００５】
さらに、チルトセンサで検出する光ディスク上の位置と、信号読み出し用のレーザースポットが読み出す位置との間にずれがあるため、再生場所で正確なチルト量を検出することが困難であった。
【０００６】
また、光ディスク最内周部または最外周部ではチルトセンサが光ディスク領域から外れてしまい、正確な測定が困難となる場合があった。
【０００７】
また、使用する光ディスクの種類が増加し、ＣＤでは７８０ｎｍ、ＤＶＤでは６５０ｎｍ、Ｂｌｕ−ｒａｙディスクでは４０５ｎｍというように、異なる波長の光での再生を想定していることから、想定外の波長の光に対するディスク反射率が極端に低く、検出精度が低下する可能性があった。
【０００８】
一方、チルトセンサを用いることなく、フォーカスサーボ信号をチルト補正機構に印加することによって、面ブレによるチルトへの補正動作を行う方法が知られている（例えば、特許文献２や特許文献３を参照）。
【０００９】
この方法では、レンズがディスクの面ブレに追従し、面ブレ（ディスクの上下動）がチルト（ディスクの傾き）と一意に対応すると想定して、上下方向の駆動信号であるフォーカスドライブ信号をチルト補正機構に印加することによって、チルトを補正する。
【特許文献１】特開２００４-２１３８０９号公報（２００４年７月２９日公開）
【特許文献２】特開２００１−２３２１３号公報（２００１年１月２６日公開）
【特許文献３】特開平９−１２８７８５号公報（１９９７年５月１６日公開）
【発明の開示】
【発明が解決しようとする課題】
【００１０】
しかしながら、特許文献２に開示された方法を用いた場合、組み立て誤差による対物レンズのチルトや、スピンドルモーターのチルトがある場合、これらをあらかじめゼロに調整する必要があり、この調整による誤差が残っている場合には、チルトの補正を正確に行うことができないという問題がある。
【００１１】
そこで、本発明は、上記の問題点に鑑みてなされたものであり、その目的は、装置を大型化させることなく、対物レンズやスピンドルモーターのチルト調整を可能にした、良好な再生品質を保つことができる光ディスク再生装置、および、当該対物レンズおよびスピンドルモーターのチルト調整方法を提供するものである。
【課題を解決するための手段】
【００１２】
本発明に係る光ディスク再生装置は、上述した課題を解決するために、光ディスクを載置するためのターンテーブルと、上記ターンテーブルの回転軸に対して上記光ディスクを傾斜させる、上記ターンテーブルに配設された傾斜手段と、上記ターンテーブルを回転駆動するスピンドルモーターと、上記光ディスクに光ビームを照射するとともに、当該光ビームの戻り光に基づいて、光ディスクに記録された情報の再生信号を生成する再生手段とを備えた光ディスク再生装置であって、上記傾斜手段によって傾斜している上記光ディスクが一回転する間の、当該光ディスクの表面への上記光ビームの照射角度の平均角度を垂直にする調整手段を備えていることを特徴としている。
【００１３】
上記の構成によれば、本発明に係る光ディスク再生装置は、上記傾斜手段を用いて、光ディスクをターンテーブルの回転軸に対して傾斜させることができる。
【００１４】
すなわち、面ブレのない光ディスクであっても、この光ディスクを上記傾斜手段を用いることによって、ターンテーブルの回転軸に対して故意に傾斜させることができ、当該光ディスクに面ブレを生じさせることができる。
【００１５】
これにより、上記調整手段を用いて、故意に傾斜させた光ディスクが一回転する間の、当該光ディスクの表面への光ビームの照射角度の平均角度を、垂直に調整することによって、上記傾斜手段を解除して光ディスクをターンテーブルに対して平行に載置した状態においても、光ディスクの全周に渡って光ビームの照射角度を垂直とすることができる。
【００１６】
このように、本発明の光ディスク再生装置は、傾斜手段と調整手段を備えていることから、光ディスク再生装置の製造時などにスピンドルモーターや再生手段にチルトがある場合であっても、光ディスクの全周に渡って光ビームの照射角度を垂直とすることができる。したがって、本発明によれば、良好な再生信号を再生することができる光ディスク再生装置を提供することができる。
【００１７】
以上のように、本発明によれば、光ディスクの面ブレを故意に発生させ、面ブレ状態のディスクの平均的な傾斜面に対して光ビーム入射角度を垂直な状態に調整可能となり、その後、ディスク傾斜手段を解除することにより、ディスクへの入射角度が垂直な状態に設定される。
【００１８】
したがって、従来のように、別途チルトセンサおよびチルト信号処理回路を用意することなく最適なチルト調整が可能となるため、コストダウン、小型化が可能となり部材の使用量削減を図る事が可能となり環境保護につながる。
【００１９】
また、信号読み出し用光ビームとチルトセンサ光軸にずれを無くすためのチルトセンサ光軸調整工程の廃止により工場消費電力、調整装置の削減が可能となり環境保護につながる。
【００２０】
また、チルトセンサで検出するディスク上の場所と、信号読み出し用のレーザースポットが読み出す位置のずれや、ディスク最内外周部でチルトセンサがディスク領域から外れることによる検出精度低下の防止が可能となる。
【００２１】
また、使用するディスクの種類が増加し、ＣＤでは７８０ｎｍ、ＤＶＤでは６５０ｎｍ、Ｂｌｕ−ｒａｙディスクでは４０５ｎｍと異なる波長の光での再生を想定していることから、想定外の波長の光に対するディスク反射率が極端に低いことによる検出精度低下を防止することが可能となる。
【００２２】
なお、ここで「垂直」とは、完全に垂直である場合のほかに、実質的に垂直であると見なすことができる（所望する効果を得るのに支障が無い程度）場合も含むものとする。
【００２３】
また、本発明に係る光ディスク再生装置は、上述した課題を解決するために、光ディスクを載置するためのターンテーブルと、上記ターンテーブルの回転軸に対して上記光ディスクを傾斜させる、上記ターンテーブルに配設された傾斜手段と、上記ターンテーブルを回転駆動するスピンドルモーターと、上記光ディスクに光ビームを照射するとともに、当該光ビームの戻り光に基づいて、光ディスクに記録された情報の再生信号を生成する再生手段とを備えた光ディスク再生装置であって、上記傾斜手段によって傾斜している上記光ディスクが一回転する間の、当該光ディスクの表面における所定の位置と、当該位置から１／２回転した位置との各上記再生信号のエンベロープを一致させる調整手段を備えていることを特徴としている。
【００２４】
上記の構成によれば、本発明に係る光ディスク再生装置は、上記傾斜手段を用いて、光ディスクをターンテーブルの回転軸に対して傾斜させることができる。
【００２５】
すなわち、面ブレのない光ディスクであっても、この光ディスクを上記傾斜手段を用いることによって、ターンテーブルの回転軸に対して故意に傾斜させることができ、当該光ディスクに面ブレを生じさせることができる。
【００２６】
これにより、上記調整手段を用いて、故意に傾斜させた光ディスクが一回転する間の、当該光ディスクの表面における所定の位置と、当該位置から１／２回転した位置との各上記再生信号のエンベロープを一致させることによって、故意に傾斜した光ディスクの表面への光ビームの照射角度の平均角度を、垂直にする調整することができる。
【００２７】
したがって、上記傾斜手段を解除して光ディスクをターンテーブルに対して平行に載置した状態においても、光ディスクの全周に渡って光ビームの照射角度を垂直とすることができる。
【００２８】
このように、本発明の光ディスク再生装置は、傾斜手段と調整手段を備えていることから、光ディスク再生装置の製造時などにスピンドルモーターや再生手段にチルトがある場合であっても、光ディスクの全周に渡って光ビームの照射角度を垂直とすることができる。したがって、本発明によれば、良好な再生信号を再生することができる光ディスク再生装置を提供することができる。
【００２９】
以上のように、本発明によれば、光ディスクの面ブレを故意に発生させ、面ブレ状態のディスクの平均的な傾斜面に対して光ビーム入射角度を垂直な状態に調整可能となり、その後、傾斜手段を解除することにより、ディスクへの入射角度が垂直な状態に設定される。
【００３０】
したがって、別途チルトセンサおよびチルト信号処理回路を用意することなく最適なチルト調整が可能となるため、コストダウン、小型化が可能となり部材の使用量削減を図る事が可能となり環境保護につながる。
【００３１】
また、信号読み出し用光ビームとチルトセンサ光軸にずれを無くすためのチルトセンサ光軸調整工程の廃止により工場消費電力、調整装置の削減が可能となり環境保護につながる。
【００３２】
また、チルトセンサで検出するディスク上の場所と、信号読み出し用のレーザースポットが読み出す位置のずれや、ディスク最内外周部でチルトセンサがディスク領域から外れることによる検出精度低下の防止が可能となる。
【００３３】
また、使用するディスクの種類が増加し、ＣＤでは７８０ｎｍ、ＤＶＤでは６５０ｎｍ、Ｂｌｕ−ｒａｙディスクでは４０５ｎｍと異なる波長の光での再生を想定していることから、想定外の波長の光に対するディスク反射率が極端に低いことによる検出精度低下を防止することが可能となる。
【００３４】
なお、ここで「垂直」とは、完全に垂直である場合のほかに、実質的に垂直であると見なすことができる（所望する効果を得るのに支障が無い程度）場合も含むものとする。
【００３５】
また、本発明に係る光ディスク再生装置は、上記調整手段が、上記回転軸に対して上記傾斜手段と同じ位置に配設した位置標識部、および当該位置標識部を検知して位置信号を生成する生成部を有する位置信号生成手段と、上記位置信号に基づいて、上記光ディスクにおける、上記傾斜手段による傾斜角度が最大である位置と、当該位置から光ディスクが１／２回転した位置との各上記再生信号を取得し、当該各再生信号のエンベロープを一致させる合致手段とを備えていることが好ましい。
【００３６】
上記の構成によれば、本発明に係る光ディスク再生装置は、上記の効果に加えて、傾斜手段の取り付けられた位置を表す信号を基準に、その位置と１／２回転離れた位置の再生信号エンベロープの差が無くなるよう再生手段のディスク読み出し条件を修正することが可能となる。
【００３７】
このとき、傾斜手段の取り付けられた位置は、半径方向の傾斜が最も大きい位置であることから、半径方向の傾斜を修正することができることになる。
【００３８】
なお、ここで「半径方向」とは、光ディスクが、スピンドルモーターの回転軸を中心として、再生手段からの照射ビームが照射された位置のトラックに対して垂直方向に傾斜している状態を示している。
【００３９】
また、ここで「一致」とは、完全に一致する場合のほかに、実質的に一致していると見なすことができる（所望する効果を得るのに支障が無い程度）場合も含む。
【００４０】
また、本発明に係る光ディスク再生装置は、上記調整手段が、上記回転軸に対して上記傾斜手段と同じ位置に配設した位置標識部、および当該位置標識部を検知して位置信号を生成する生成部を有する位置信号生成手段と、上記位置信号を取得し、当該位置信号を、上記光ディスクが１／４回転する所要時間遅延させた遅延信号を生成する遅延手段と、上記遅延信号に基づいて、光ディスクにおける、上記傾斜手段による傾斜角度が最大である位置から１／４回転した位置と、当該位置から１／２回転した位置との各上記再生信号を取得し、当該各再生信号のエンベロープを一致させる合致手段とを備えていることが好ましい。
【００４１】
上記の構成によれば、本発明に係る光ディスク再生装置は、上記の効果に加えて、傾斜手段の取り付けられた位置を表す信号を基準に、この位置から１／４回転した位置と、当該位置から１／２回転した位置との再生信号エンベロープの差が無くなるよう再生手段のディスク読み出し条件を修正することが可能となる。
【００４２】
このとき、傾斜手段の取り付けられた位置から１／４回転した位置は、接線方向の傾斜が最も大きい位置であることから、接線方向の傾斜を修正することができることになる。
【００４３】
なお、ここで「接線方向」とは、ディスクが、その中心部を中心として、再生手段１０５からの照射ビームが照射する位置のトラックに対して平行に傾斜している状態を示している。
【００４４】
また、ここで「一致」とは、完全に一致する場合のほかに、実質的に一致していると見なすことができる（所望する効果を得るのに支障が無い程度）場合も含む。
【００４５】
また、本発明に係る光ディスク再生装置は、上記調整手段が、上記回転軸に対して上記傾斜手段と同じ位置に配設した位置標識部、および当該位置標識部を検知して位置信号を生成する生成部を有する位置信号生成手段と、上記位置信号に基づいて、上記光ディスクにおける、上記傾斜手段による傾斜角度が最大である位置、当該位置から当該光ディスクが１／４回転、１／２回転、３／４回転した位置の各上記再生信号を取得するとともに、当該光ディスクの傾斜角度が最大である位置と当該１／２回転した位置との、および当該１／４回転した位置と当該３／４回転した位置との再生信号のエンベロープをそれぞれ一致させる合致手段とを備えていることが好ましい。
【００４６】
上記の構成によれば、本発明に係る光ディスク再生装置は、上記の効果に加えて、傾斜手段の取り付けられた位置を表す信号を基準に、この位置と、位置から当該光ディスクが１／４回転、１／２回転、３／４回転した位置の各再生信号を取得するとともに、当該光ディスクの傾斜角度が最大である位置と当該１／２回転した位置との、および当該１／４回転した位置と当該３／４回転した位置との再生信号のエンベロープをそれぞれ一致させることができる。
【００４７】
ここで、傾斜手段の取り付けられた位置は半径方向の傾斜が最も大きい位置であり、この位置から１／４回転した位置は、接線方向の傾斜が最も大きい位置である。
【００４８】
これにより、半径方向の傾斜が最も大きい位置と、この位置から１／２回転した位置の再生信号のエンベロープを一致させることによって、半径方向の傾斜を修正することができることになり、また、接線方向の傾斜が最も大きい位置と、この位置から１／２回転した位置の再生信号のエンベロープを一致させることによって、接線方向の傾斜を修正することができることになる。
【００４９】
以上により、本発明によれば、半径方向および接線方向の傾斜を修正することができ、良好な再生信号を再生することができる光ディスク再生装置を提供することができる。
【００５０】
また、本発明に係る光ディスク再生装置は、上記調整手段が、上記回転軸に対して上記傾斜手段とは異なる位置に配設した位置標識部、および当該位置標識部を検出して位置信号を生成する生成部を有する位置信号生成手段と、上記位置信号を取得し、上記光ディスクが、上記回転軸を中心として、上記位置標識部が設けられた位置と、上記傾斜手段の配設位置とによって形成される角度回転するために要する時間、当該位置信号を遅延させた遅延信号を生成する遅延手段と、上記遅延信号に基づいて、上記光ディスクにおける、上記傾斜手段による傾斜角度が最大である位置と、当該位置から１／２回転した位置との各上記再生信号を取得し、当該各再生信号のエンベロープを一致させる合致手段とを備えていることが好ましい。
【００５１】
上記の構成によれば、本発明に係る光ディスク再生装置は、上記の効果に加えて、上記遅延手段が設けられていることによって、上記位置標識部がスピンドルモーターの回転軸に対する傾斜手段の配設位置とは異なる位置に配設されていても、傾斜手段の取り付けられた位置を表す信号（遅延信号）を生成することができる。これにより、上記調整手段によって、傾斜手段の取り付けられた位置を表す信号を基準に、その位置と１／２回転離れた位置の再生信号エンベロープの差が無くなるよう再生手段のディスク読み出し条件を修正することが可能となる。
【００５２】
このとき、傾斜手段の取り付けられた位置は、半径方向の傾斜が最も大きい位置であることから、半径方向の傾斜を修正することができることになる。
【００５３】
また、本発明によれば、上記遅延手段が設けられていることによって、上記位置標識部をスピンドルモーターの回転軸に対する傾斜手段の配設位置に合わせた構成の場合と比較して、光ディスク再生装置を組み立てる際、位置標識部と傾斜手段との位置合わせを厳密に行う必要がない。すなわち、上記の構成とすることによって、組み立て精度の管理が容易になり、製造方法を簡略化することができる。
【００５４】
また、本発明に係る光ディスク再生装置は、上記調整手段が、上記回転軸に対して上記傾斜手段とは異なる位置に配設した位置標識部、および当該位置標識部を検出して位置信号を生成する生成部を有する位置信号生成手段と、上記位置信号を取得し、上記光ディスクが、上記回転軸を中心として、上記位置標識部が設けられた位置と、上記傾斜手段の配設位置から１／４回転した位置とによって形成される角度回転するために要する時間、当該位置信号を遅延させた遅延信号を生成する遅延手段と、上記遅延信号に基づいて、上記光ディスクにおける、上記傾斜角度が最大である位置から１／４回転した位置と、当該位置から１／２回転した位置との各上記再生信号を取得し、当該各再生信号のエンベロープを一致させる合致手段とを備えていることが好ましい。
【００５５】
上記の構成によれば、本発明に係る光ディスク再生装置は、上記の効果に加えて、上記遅延手段が設けられていることによって、上記位置標識部がスピンドルモーターの回転軸に対する傾斜手段の配設位置とは異なる位置に配設されていても、傾斜手段の取り付けられた位置から１／４回転した位置を表す信号（遅延信号）を生成することができる。これにより、上記調整手段によって、遅延信号に基づいて、傾斜手段の取り付けられた位置からから１／４回転した位置と、当該位置から１／２回転した位置との再生信号エンベロープの差が無くなるよう再生手段のディスク読み出し条件を修正することが可能となる。
【００５６】
このとき、傾斜手段の取り付けられた位置から１／４回転した位置は、接線方向の傾斜が最も大きい位置であることから、接線方向の傾斜を修正することができることになる。
【００５７】
また、本発明によれば、上記遅延手段が設けられていることによって、上記位置標識部をスピンドルモーターの回転軸に対する傾斜手段の配設位置に合わせた構成の場合と比較して、光ディスク再生装置を組み立てる際、位置標識部と傾斜手段との位置合わせを厳密に行う必要がない。すなわち、上記の構成とすることによって、組み立て精度の管理が容易になり、製造方法を簡略化することができる。
【００５８】
また、本発明に係る光ディスク再生装置は、上記調整手段が、上記回転軸に対して上記傾斜手段とは異なる位置に配設した位置標識部、および当該位置標識部を検出して位置信号を生成する生成部を有する位置信号生成手段と、上記位置信号を取得し、上記光ディスクが、上記回転軸を中心として、上記位置標識部が設けられた位置と、上記傾斜手段の配設位置とによって形成される角度回転するために要する時間、当該位置信号を遅延させた遅延信号を生成する遅延手段と、上記遅延信号に基づいて、上記光ディスクにおける、上記傾斜手段による傾斜角度が最大である位置、当該位置から当該光ディスクが１／４回転、１／２回転、３／４回転した位置の各上記再生信号を取得するとともに、当該傾斜角度が最大である位置と当該１／２回転した位置との、および当該１／４回転した位置と当該３／４回転した位置との各再生信号のエンベロープを一致させる合致手段とを備えていることが好ましい。
【００５９】
上記の構成によれば、本発明に係る光ディスク再生装置は、上記の効果に加えて、上記遅延手段が設けられていることによって、上記位置標識部がスピンドルモーターの回転軸に対する傾斜手段の配設位置とは異なる位置に配設されていても、傾斜手段の取り付けられた位置を表す信号（遅延信号）を生成することができる。これにより、上記調整手段によって、傾斜手段の取り付けられた位置を表す信号を基準に、この位置と、位置から当該光ディスクが１／４回転、１／２回転、３／４回転した位置の各再生信号を取得するとともに、当該光ディスクの傾斜角度が最大である位置と当該１／２回転した位置との、および当該１／４回転した位置と当該３／４回転した位置との再生信号のエンベロープをそれぞれ一致させる。
【００６０】
ここで、傾斜手段の取り付けられた位置は半径方向の傾斜が最も大きい位置であり、この位置から１／４回転した位置は、接線方向の傾斜が最も大きい位置である。
【００６１】
これにより、半径方向の傾斜が最も大きい位置と、この位置から１／２回転した位置の再生信号のエンベロープを一致させることによって、半径方向の傾斜を修正することができることになり、また、接線方向の傾斜が最も大きい位置と、この位置から１／２回転した位置の再生信号のエンベロープを一致させることによって、接線方向の傾斜を修正することができることになる。
【００６２】
以上により、本発明によれば、半径方向および接線方向の傾斜を修正することができ、良好な再生信号を再生することができる光ディスク再生装置を提供することができる。
【００６３】
また、本発明によれば、上記遅延手段が設けられていることによって、上記位置標識部をスピンドルモーターの回転軸に対する傾斜手段の配設位置に合わせた構成の場合と比較して、光ディスク再生装置を組み立てる際、位置標識部と傾斜手段との位置合わせを厳密に行う必要がない。すなわち、上記の構成とすることによって、組み立て精度の管理が容易になり、製造方法を簡略化することができる。
【００６４】
また、本発明に係る光ディスク再生装置は、上記調整手段が、上記再生手段の配設角度を可変する補正手段を備えていることが好ましい。
【００６５】
これにより、故意に傾斜させた光ディスクが一回転する間の、当該光ディスクの表面への光ビームの照射角度の平均角度を、垂直にする調整することができる。具体的には、故意に傾斜させた光ディスクが一回転する間の、当該光ディスクの表面における所定の２つの位置の各上記再生信号のエンベロープを一致させることができる。
【００６６】
また、本発明に係る光ディスク再生装置は、上記調整手段が、上記スピンドルモーターの配設角度を可変する補正手段を備えていることが好ましい。
【００６７】
これにより、故意に傾斜させた光ディスクが一回転する間の、当該光ディスクの表面への光ビームの照射角度の平均角度を、垂直にする調整することができる。具体的には、故意に傾斜させた光ディスクが一回転する間の、当該光ディスクの表面における所定の２つの位置の各上記再生信号のエンベロープを一致させることができる。
【００６８】
また、本発明に係る光ディスク再生装置は、上記調整手段が、印加電圧によって透過光量を制御するシャッター部を複数有したシャッター機構を、上記光ビームの光路上に備えていることが好ましい。
【００６９】
上記の構成とすれば、上記シャッター機構を備えていることによって、上記光ビームの照射光量を制御することができる。
【００７０】
これにより、上記光ディスクにおける、上記傾斜手段による傾斜角度が最大である位置と、当該位置から光ディスクが１／２回転した位置との各再生信号のエンベロープを一致させることができる。よって、半径方向の傾斜を修正することができることになる。
【００７１】
または、上記光ディスクにおける、上記傾斜手段による傾斜角度が最大である位置から１／４回転した位置と、当該位置から光ディスクが１／２回転した位置との各再生信号のエンベロープを一致させることができる。よって、接線方向の傾斜を修正することができることになる。
【００７２】
または、上記傾斜手段による傾斜角度が最大である位置と、当該位置から光ディスクが１／２回転した位置との各再生信号のエンベロープを一致させるとともに、上記傾斜手段による傾斜角度が最大である位置から１／４回転した位置と、当該位置から光ディスクが１／２回転した位置との各再生信号のエンベロープを一致させることができる。よって、半径方向および接線方向の傾斜を修正することができることになる。
【００７３】
また、本発明に係る光ディスク再生装置は、上記光ディスクを上記ターンテーブルに固定する固定手段を備えており、さらに、上記傾斜手段が上記光ディスクを上記ターンテーブルに対して平行に載置されている状態から最終傾斜角度まで傾けている間、上記固定手段を解除する解除手段を備えていてもよい。
【００７４】
上記の構成とすれば、光ディスクが固定手段によって固定されている状態で傾斜手段によって傾斜させる場合の構成と比較して、傾斜手段の駆動力を低減させることができる。これにより、消費電力を低減させた光ディスク再生装置を提供することができる。
【００７５】
また、本発明に係る光ディスク再生装置は、上記傾斜手段が上記光ディスクを上記ターンテーブルに対して平行に載置されている状態から最終傾斜角度まで傾けている間、当該光ディスクを、当該ターンテーブル上から離脱させる離脱手段を備えていてもよい。
【００７６】
上記の構成とすれば、光ディスクがターンテーブルに載置されている状態で傾斜手段によって傾斜させる場合の構成と比較して、傾斜手段の駆動力を低減させることができる。これにより、消費電力を低減させた光ディスク再生装置を提供することができる。
【００７７】
また、本発明に係るチルト調整方法は、上述した課題を解決するために、光ディスクに記録された情報を再生するための光ディスク再生装置に設けられたスピンドルモーターまたは対物レンズのチルト調整方法であって、上記光ディスクをターンテーブルに載置する載置工程と、上記載置工程で上記ターンテーブルに載置した上記光ディスクに光ビームを照射して、当該光ビームの戻り光に基づいて光ディスクに記録された情報の再生信号を生成する再生信号生成工程と、上記光ディスクを、スピンドルモーターの回転軸に対して傾斜させる傾斜工程と、上記傾斜工程によって傾斜している上記光ディスクが一回転する間の、当該光ディスクの表面への上記光ビームの照射角度の平均角度を垂直にする調整工程とを含むことを特徴としている。
【００７８】
上記の方法により、面ブレのない光ディスクであっても、この光ディスクをターンテーブルの回転軸に対して故意に傾斜させることができ、当該光ディスクに面ブレを生じさせることができる。
【００７９】
これにより、上記調整工程にて、故意に傾斜させた光ディスクが一回転する間の、当該光ディスクの表面への光ビームの照射角度の平均角度を、垂直にする調整することによって、本発明のチルト調整方法後に、上記光ディスクをターンテーブルに対して平行に載置した状態で再生させた場合に、光ディスクの全周に渡って光ビームの照射角度を垂直とすることができる。すなわち、良好な再生信号を再生することができる。
【００８０】
したがって、従来のように、別途チルトセンサおよびチルト信号処理回路を用意することなく最適なチルト調整が可能となるため、コストダウン、小型化が可能となり部材の使用量削減を図る事が可能となり環境保護につながる。
【００８１】
また、信号読み出し用光ビームとチルトセンサ光軸にずれを無くすためのチルトセンサ光軸調整工程の廃止により工場消費電力、調整装置の削減が可能となり環境保護につながる。
【００８２】
また、チルトセンサで検出するディスク上の場所と、信号読み出し用のレーザースポットが読み出す位置のずれや、ディスク最内外周部でチルトセンサがディスク領域から外れることによる検出精度低下の防止が可能となる。
【００８３】
また、使用するディスクの種類が増加し、ＣＤでは７８０ｎｍ、ＤＶＤでは６５０ｎｍ、Ｂｌｕ−ｒａｙディスクでは４０５ｎｍと異なる波長の光での再生を想定していることから、想定外の波長の光に対するディスク反射率が極端に低いことによる検出精度低下を防止することが可能となる。
【００８４】
なお、ここで「垂直」とは、完全に垂直である場合のほかに、実質的に垂直であると見なすことができる（所望する効果を得るのに支障が無い程度）場合も含むものとする。
【００８５】
また、本発明に係るチルト調整方法は、上述した課題を解決するために、光ディスクに記録された情報を再生するための光ディスク再生装置に設けられたスピンドルモーターまたは対物レンズのチルト調整方法であって、上記光ディスクをターンテーブル上に載置する工程と、上記載置工程で上記ターンテーブルに載置した上記光ディスクに光ビームを照射して、当該光ビームの戻り光に基づいて光ディスクに記録された情報の再生信号を生成する再生信号生成工程と、上記光ディスクを、スピンドルモーターの回転軸に対して傾斜させる傾斜工程と、上記傾斜手段によって傾斜した上記光ディスクが一回転する間の、当該光ディスクの表面の所定の位置と、当該位置から１／２回転した位置とにおける、上記再生信号生成工程によって生成された各再生信号のエンベロープを一致させる調整工程とを含むことを特徴としている。
【００８６】
上記の方法により、面ブレのない光ディスクであっても、この光ディスクをターンテーブルの回転軸に対して故意に傾斜させることができ、当該光ディスクに面ブレを生じさせることができる。
【００８７】
これにより、上記調整工程にて、故意に傾斜させた光ディスクが一回転する間の、当該光ディスクの表面における所定の位置と、当該位置から１／２回転した位置との各上記再生信号のエンベロープを一致させることによって、故意に傾斜させた光ディスクの表面への光ビームの照射角度の平均角度を、垂直にする調整することができる。よって、本発明のチルト調整方法後に、上記光ディスクをターンテーブルに対して平行に載置した状態で再生させた場合に、光ディスクの全周に渡って光ビームの照射角度を垂直とすることができる。すなわち、良好な再生信号を再生することができる。
【００８８】
したがって、従来のように、別途チルトセンサおよびチルト信号処理回路を用意することなく最適なチルト調整が可能となるため、コストダウン、小型化が可能となり部材の使用量削減を図る事が可能となり環境保護につながる。
【００８９】
また、信号読み出し用光ビームとチルトセンサ光軸にずれを無くすためのチルトセンサ光軸調整工程の廃止により工場消費電力、調整装置の削減が可能となり環境保護につながる。
【００９０】
また、チルトセンサで検出するディスク上の場所と、信号読み出し用のレーザースポットが読み出す位置のずれや、ディスク最内外周部でチルトセンサがディスク領域から外れることによる検出精度低下の防止が可能となる。
【００９１】
また、使用するディスクの種類が増加し、ＣＤでは７８０ｎｍ、ＤＶＤでは６５０ｎｍ、Ｂｌｕ−ｒａｙディスクでは４０５ｎｍと異なる波長の光での再生を想定していることから、想定外の波長の光に対するディスク反射率が極端に低いことによる検出精度低下を防止することが可能となる。
【００９２】
また、本発明に係るチルト調整方法は、上記調整工程では、上記傾斜工程によって傾斜した上記光ディスクの傾斜角度が最大である位置を示す位置信号を生成する位置信号生成工程と、上記位置信号生成工程によって生成された上記位置信号を取得して、上記光ディスクにおける、上記傾斜工程による傾斜角度が最大である位置と、当該位置から光ディスクが１／２回転した位置との各上記再生信号を取得し、当該各再生信号のエンベロープを一致させる合致工程とを含むことが好ましい。
【００９３】
上記の効果に加えて、上記傾斜工程によって傾斜した上記光ディスクの傾斜角度が最大である位置を表す信号を基準に、その位置と１／２回転離れた位置の再生信号エンベロープの差が無くなるようディスク読み出し条件を修正することが可能となる。
【００９４】
このとき、上記した基準となる位置は、半径方向の傾斜が最も大きい位置であることから、半径方向の傾斜を修正することができることになる。
【００９５】
なお、ここで「半径方向」とは、光ディスクが、スピンドルモーターの回転軸を中心として、再生手段からの照射ビームが照射された位置のトラックに対して垂直方向に傾斜している状態を示している。
【００９６】
また、ここで「一致」とは、完全に一致する場合のほかに、実質的に一致していると見なすことができる（所望する効果を得るのに支障が無い程度）場合も含む。
【００９７】
また、本発明に係るチルト調整方法は、上記調整工程では、上記傾斜工程によって傾斜した上記光ディスクの傾斜角度が最大である位置を示す位置信号を生成する位置信号生成工程と、上記位置信号生成工程によって生成された上記位置信号を、上記光ディスクの１／４回転所要時間遅延させて、遅延信号を生成する遅延工程と、上記遅延信号を取得して、上記光ディスクの傾斜角度が最大である位置から１／４回転した位置と、当該位置から１／２回転した位置とにおける各上記再生信号のエンベロープを一致させる合致工程とを含むことが好ましい。
【００９８】
上記の構成によれば、上記の効果に加えて、上記傾斜工程によって傾斜した上記光ディスクの傾斜角度が最大である位置を表す信号を基準に、この位置から１／４回転した位置と、当該位置から１／２回転した位置との再生信号エンベロープの差が無くなるようディスク読み出し条件を修正することが可能となる。
【００９９】
このとき、上記の基準となる位置から１／４回転した位置は、接線方向の傾斜が最も大きい位置であることから、接線方向の傾斜を修正することができることになる。
【０１００】
なお、ここで「接線方向」とは、ディスクが、その中心部を中心として、再生手段１０５からの照射ビームが照射する位置のトラックに対して平行に傾斜している状態を示している。
【０１０１】
また、ここで「一致」とは、完全に一致する場合のほかに、実質的に一致していると見なすことができる（所望する効果を得るのに支障が無い程度）場合も含む。
【０１０２】
また、本発明に係るチルト調整方法は、上記調整工程では、上記傾斜工程によって傾斜した上記光ディスクの傾斜角度が最大である位置を示す位置信号を生成する位置信号生成工程と、上記位置信号生成工程によって生成された上記位置信号を取得して、上記光ディスクにおける、上記傾斜工程による傾斜角度が最大である位置、当該位置から当該光ディスクが１／４回転、１／２回転、３／４回転した位置の各上記再生信号を取得するとともに、当該光ディスクの傾斜角度が最大である位置と当該１／２回転した位置との、および当該１／４回転した位置と当該３／４回転した位置との再生信号のエンベロープをそれぞれ一致させる合致工程とを含むことが好ましい。
【０１０３】
これにより、上記の効果に加えて、上記傾斜工程によって傾斜した上記光ディスクの傾斜角度が最大である位置を表す信号を基準に、その位置と１／２回転離れた位置との再生信号エンベロープの差が無くなるようディスク読み出し条件を修正することが可能になるとともに、上記傾斜工程によって傾斜した上記光ディスクの傾斜角度が最大である位置を表す信号を基準に、その位置から１／４回転離れた位置と、その位置と１／２回転離れた位置との再生信号エンベロープの差が無くなるようディスク読み出し条件を修正することが可能になる。
【０１０４】
ここで、上記傾斜工程によって傾斜した上記光ディスクの傾斜角度が最大である位置は半径方向の傾斜が最も大きい位置であり、この位置から１／４回転した位置は、接線方向の傾斜が最も大きい位置である。
【０１０５】
これにより、半径方向の傾斜が最も大きい位置と、この位置から１／２回転した位置の再生信号のエンベロープを一致させることによって、半径方向の傾斜を修正することができることになり、また、接線方向の傾斜が最も大きい位置と、この位置から１／２回転した位置の再生信号のエンベロープを一致させることによって、接線方向の傾斜を修正することができることになる。
【０１０６】
また、本発明に係るチルト調整方法は、上記調整工程では、上記傾斜工程によって傾斜した上記光ディスクの傾斜角度が最大である位置とは異なる所定の位置を示す位置信号を生成する位置信号生成工程と、上記位置信号を取得して、当該位置信号を所定時間遅延させて、遅延信号を生成する遅延工程と、上記遅延信号に基づいて、上記光ディスクの傾斜角度が最大である位置と、当該位置から１／２回転した位置とにおける各上記再生信号のエンベロープを一致させる合致工程とを備えていることが好ましい。
【０１０７】
上記の構成によれば、上記の効果に加えて、上記遅延工程を含むことによって、上記位置信号生成工程において、上記傾斜工程によって傾斜した上記光ディスクの傾斜角度が最大である位置とは異なる所定の位置を示す位置信号を生成する場合であっても、上記傾斜工程によって傾斜した上記光ディスクの傾斜角度が最大である位置を表す信号（遅延信号）を生成することができる。
【０１０８】
これにより、傾斜手段の取り付けられた位置を表す信号を基準に、その位置と１／２回転離れた位置の再生信号エンベロープの差が無くなるよう再生手段のディスク読み出し条件を修正することが可能となる。
【０１０９】
また、本発明に係るチルト調整方法は、上記調整工程では、上記傾斜工程によって傾斜した上記光ディスクの傾斜角度が最大である位置とは異なる所定の位置を示す位置信号を生成する位置信号生成工程と上記位置信号を取得して、当該位置信号を所定時間遅延させて、遅延信号を生成する遅延工程と、上記遅延信号に基づいて、上記光ディスクの傾斜角度が最大である位置から１／４回転した位置と、当該位置から１／２回転した位置とにおける各上記再生信号のエンベロープを一致させる合致工程とを含むが好ましい。
【０１１０】
上記の構成によれば、上記の効果に加えて、上記遅延工程を含むことによって、上記位置信号生成工程において、上記傾斜工程によって傾斜した上記光ディスクの傾斜角度が最大である位置とは異なる所定の位置を示す位置信号を生成する場合であっても、上記傾斜工程によって傾斜した上記光ディスクの傾斜角度が最大である位置から１／４回転した位置を表す信号（遅延信号）を生成することができる。
【０１１１】
これにより、上記合致工程において、遅延信号に基づいて、上記傾斜角度が最大である位置と位置から１／４回転した位置と、当該位置から１／２回転した位置との再生信号エンベロープの差が無くなるようにディスク読み出し条件を修正することが可能となる。
【０１１２】
したがって、上記の方法によれば、上記光ディスクの傾斜角度が最大である位置から１／４回転した位置は、接線方向の傾斜が最も大きい位置であることから、接線方向の傾斜を修正することができることになる。
【０１１３】
また、本発明に係るチルト調整方法は、上記調整工程では、上記傾斜工程によって傾斜した上記光ディスクの傾斜角度が最大である位置とは異なる所定の位置を示す位置信号を生成する位置信号生成工程と上記位置信号を取得して、当該位置信号を所定時間遅延させて、遅延信号を生成する遅延工程と、上記遅延信号に基づいて、上記光ディスクにおける、上記傾斜工程による傾斜角度が最大である位置、当該位置から光ディスクが１／４回転、１／２回転、３／４回転した位置の各上記再生信号を取得するとともに、当該傾斜角度が最大である位置と当該１／２回転した位置との、および当該１／４回転した位置と当該３／４回転した位置との各再生信号のエンベロープを比較して、それぞれを一致させる合致工程とを含むことが好ましい。
【０１１４】
上記の構成によれば、上記の効果に加えて、上記遅延工程を含むことによって、上記位置信号生成工程において、上記傾斜工程によって傾斜した上記光ディスクの傾斜角度が最大である位置とは異なる所定の位置を示す位置信号を生成する場合であっても、上記傾斜工程によって傾斜した上記光ディスクの傾斜角度が最大である位置を表す信号（遅延信号）を生成することができる。
【０１１５】
これにより、遅延信号に基づいて、上記傾斜角度が最大である位置と１／２回転離れた位置との再生信号エンベロープの差が無くなるようディスク読み出し条件を修正することが可能になるとともに、上記傾斜工程によって傾斜した上記光ディスクの傾斜角度が最大である位置を表す信号を基準に、その位置から１／４回転離れた位置と、その位置と１／２回転離れた位置との再生信号エンベロープの差が無くなるようディスク読み出し条件を修正することが可能になる。
【０１１６】
ここで、上記傾斜工程によって傾斜した上記光ディスクの傾斜角度が最大である位置は半径方向の傾斜が最も大きい位置であり、この位置から１／４回転した位置は、接線方向の傾斜が最も大きい位置である。
【０１１７】
これにより、半径方向の傾斜が最も大きい位置と、この位置から１／２回転した位置の再生信号のエンベロープを一致させることによって、半径方向の傾斜を修正することができることになり、また、接線方向の傾斜が最も大きい位置と、この位置から１／２回転した位置の再生信号のエンベロープを一致させることによって、接線方向の傾斜を修正することができることになる。
【０１１８】
また、上記調整工程では、上記光ディスクに照射する光ビームの照射角度を可変することができる。
【０１１９】
また、上記調整工程では、上記スピンドルモーターの配設角度を可変することができる。
【０１２０】
また、上記調整工程では、上記光ビームの照射光量を調整してもよい。
【０１２１】
また、本発明に係るチルト調整方法は、上記載置工程では、上記光ディスクが所定の圧力で上記ターンテーブルに固定されており、上記傾斜工程前に、上記所定の圧力を解除する解除工程を含んでもよい。
【０１２２】
これにより、上記光ディスクは、上記ターンテーブル上で所定の圧力を加えられることなく、ターンテーブル上に載置されているため、上傾斜工程において、所定の圧力が加えられた状態でターンテーブルに載置された光ディスクを傾斜させる場合と比較して、傾斜を容易に行うことができる。また、これに伴い、傾斜に要する電力量を低減させることができる。
【発明の効果】
【０１２３】
本発明に係る光ディスク再生装置は、以上のように、光ディスクを載置するためのターンテーブルと、上記ターンテーブルの回転軸に対して上記光ディスクを傾斜させる、上記ターンテーブルに配設された傾斜手段と、上記ターンテーブルを回転駆動するスピンドルモーターと、上記光ディスクに光ビームを照射するとともに、当該光ビームの戻り光に基づいて、光ディスクに記録された情報の再生信号を生成する再生手段とを備えた光ディスク再生装置であって、上記傾斜手段によって傾斜している上記光ディスクが一回転する間の、当該光ディスクの表面への上記光ビームの照射角度の平均角度を垂直にする調整手段を備えていることを特徴としている。また、本発明に係る光ディスク再生装置は、以上のように、光ディスクを載置するためのターンテーブルと、上記ターンテーブルの回転軸に対して上記光ディスクを傾斜させる、上記ターンテーブルに配設された傾斜手段と、上記ターンテーブルを回転駆動するスピンドルモーターと、上記光ディスクに光ビームを照射するとともに、当該光ビームの戻り光に基づいて、光ディスクに記録された情報の再生信号を生成する再生手段とを備えた光ディスク再生装置であって、上記傾斜手段によって傾斜している上記光ディスクが一回転する間の、当該光ディスクの表面における所定の位置と、当該位置から１／２回転した位置との各上記再生信号のエンベロープを一致させる調整手段を備えていることを特徴としている。
【０１２４】
また、本発明に係るチルト調整方法は、以上のように、光ディスクに記録された情報を再生するための光ディスク再生装置に設けられたスピンドルモーターまたは対物レンズのチルト調整方法であって、上記光ディスクをターンテーブルに載置する載置工程と、上記載置工程で上記ターンテーブルに載置した上記光ディスクに光ビームを照射して、当該光ビームの戻り光に基づいて光ディスクに記録された情報の再生信号を生成する再生信号生成工程と、上記光ディスクを、スピンドルモーターの回転軸に対して傾斜させる傾斜工程と、上記傾斜工程によって傾斜している上記光ディスクが一回転する間の、当該光ディスクの表面への上記光ビームの照射角度の平均角度を垂直にする調整工程とを含むことを特徴としている。また、本発明に係るチルト調整方法は、以上のように、光ディスクに記録された情報を再生するための光ディスク再生装置に設けられたスピンドルモーターまたは対物レンズのチルト調整方法であって、上記光ディスクをターンテーブル上に載置する工程と、上記載置工程で上記ターンテーブルに載置した上記光ディスクに光ビームを照射して、当該光ビームの戻り光に基づいて光ディスクに記録された情報の再生信号を生成する再生信号生成工程と、上記光ディスクを、スピンドルモーターの回転軸に対して傾斜させる傾斜工程と、上記傾斜手段によって傾斜した上記光ディスクが一回転する間の、当該光ディスクの表面の所定の位置と、当該位置から１／２回転した位置とにおける、上記再生信号生成工程によって生成された各再生信号のエンベロープを一致させる調整工程とを含むことを特徴としている。
【０１２５】
以上の構成とすれば、光ディスクをターンテーブルの回転軸に対して傾斜させることによって、面ブレのない光ディスクであっても、この光ディスクを上記傾斜手段を用いることによって、ターンテーブルの回転軸に対して故意に傾斜させることができ、当該光ディスクに面ブレを生じさせることができる。
【０１２６】
これにより、故意に傾斜させた光ディスクが一回転する間の、当該光ディスクの表面における所定の位置と、当該位置から１／２回転した位置との各上記再生信号のエンベロープを一致させることによって、故意に傾斜した光ディスクの表面への光ビームの照射角度の平均角度を、垂直にする調整することができる。
【０１２７】
したがって、半径方向および／または接線方向の傾斜を修正することができる。
【０１２８】
また、これにより、良好な再生信号を再生することができる。
【発明を実施するための最良の形態】
【０１２９】
〔実施の形態１〕
本発明に係る光ディスク再生装置についての一実施形態を説明する。なお、以下の説明では、本発明を実施するために技術的に好ましい種々の限定が付されているが、本発明の範囲が、以下の実施形態および図面に限定されるものではない。
【０１３０】
まず、図１ないし図２０に基づいて本発明に係る光ディスク再生装置について以下に説明する。
【０１３１】
図１は、本発明の一実施形態である光ディスク再生装置の構成を示したブロック図である。図１に示す光ディスク再生装置１ａは、例えば、ＣＤ、ＤＶＤ、Blu-rayディスクといった光ディスクを再生、あるいは再生・記録する装置として用いることができる。そのため、本実施形態における光ディスク再生装置１ａは、図１に示すように、ターンテーブル１０２と、傾斜手段１０３と、スピンドルモーター１０４と、再生手段１０５と、調整手段１００とを備えている。
【０１３２】
上記ターンテーブル１０２は、図１に示すように、光ディスク１０１を載置することができるように構成されており、上記スピンドルモーター１０４に接続されている。
【０１３３】
上記傾斜手段１０３は、ターンテーブル１０２に配設されており、傾斜手段１０３が作動すると、ターンテーブル１０２上に装着された光ディスク１０１をターンテーブル１０２の回転軸に対して傾けることができる。
【０１３４】
上記スピンドルモーター１０４は、ターンテーブル１０２と接続しており、スピンドルモーター１０４を回転させて、ターンテーブル１０２上の光ディスク１０１を回転させる。
【０１３５】
上記再生手段１０５は、スピンドルモーター１０４によってターンテーブル１０２とともに回転する光ディスク１０１に対して光ビームを照射するとともに、光ディスク１０１からの照射ビームの戻り光に基づいて、光ディスク１０１に記録された情報を再生するための再生信号を生成する機能を有している。
【０１３６】
以下に、再生手段１０５からの照射ビームと、光ディスク１０１の表面とによって形成される角度が垂直からずれている場合の再生信号振幅について、図２（ａ）・（ｂ）および図３（ａ）・（ｂ）に基づいて説明する。なお、説明の便宜上、図２（ａ）および図３（ａ）には、光ディスク１０１（図１）と、再生手段１０５との関係のみを示しており、ターンテーブル１０２やスピンドルモーター１０４をはじめとする他の構成部材は省略している。
【０１３７】
なお、ここでは、傾斜手段１０３による光ディスクの傾斜方向を、半径方向と接線方向とに区別している。ここで、半径方向とは、光ディスクが、スピンドルモーターの回転軸を中心として、再生手段１０５からの照射ビームが照射された位置のトラックに対して垂直方向に傾斜している状態を示し、具体的には、図２（ａ）に示す再生手段１０５からの照射ビームと垂直な状態である光ディスク２０２を基準にして、光ディスクが紙面の左側（光ディスク２０１）または右側（光ディスク２０３）に傾斜している状態のことを示す。また、接線方向とは、ディスクが、スピンドルモーターの回転軸を中心として、再生手段１０５からの照射ビームが照射する位置のトラックに対して平行に傾斜している状態を示し、具体的には、図３（ａ）に示す再生手段１０５からの照射ビームと垂直な状態である光ディスク３０２を基準にして、光ディスクが紙面手前側（光ディスク３０１）または奥側（ディスク３０３）に傾斜している状態のことを示す。
【０１３８】
一般的に、光ディスクと、再生手段１０５からの照射ビームとのなす角度（チルト角）が垂直からずれると、再生手段１０５により生成される再生信号の振幅（再生信号振幅）が、光ディスクと照射ビームとのなす角度が垂直である場合の再生信号振幅よりも、低下する。
【０１３９】
具体的には、図２（ａ）において、半径方向に傾斜した光ディスク２０１、２０３の場合の再生信号振幅２０４、２０６が、照射ビームとのなす角度が垂直である光ディスク２０２の場合の再生信号振幅２０５に比べて小さいことがわかる。図２（ｂ）に、半径方向の傾斜（Ｒａｄチルト）に対する再生信号エンベロープ２０７を示す。
【０１４０】
また、図３（ａ）において、接線方向に傾斜した光ディスク３０１、３０３の場合の再生信号振幅３０４、３０６は、照射ビームとのなす角度が垂直であるディスク３０２の場合の再生信号振幅３０５に比べて小さいことがわかる。図３（ｂ）に、接線方向の傾斜（Ｔａｎチルト）に対する再生信号エンベロープ３０７を示す。
【０１４１】
ここで、図４ないし図６を用いて、ターンテーブル１０２に配設された傾斜手段１０３の構造を詳しく説明する。
【０１４２】
図４は、ターンテーブル１０２の上面（光ディスク１０１が載置される面）の構造を示した上面図である。図４に示すように、ターンテーブル１０２上には、突き出し孔４０２が設けられており、突き出し孔４０２から、傾斜動作部４０１がターンテーブル１０２の上面よりも突き出するように構成されている。
【０１４３】
具体的には、図５および図６は、傾斜手段１０３の動作を示した部分断面図であり、図５は傾斜時、図６は非傾斜時を示している。傾斜手段１０３は、図５および図６に示すように、傾斜動作部４０１と、駆動ピン５０１と、駆動ピン駆動装置５０２とを備えている。
【０１４４】
図５に示すように傾斜時に、傾斜手段１０３を作動させると、駆動ピン駆動装置５０２が駆動ピン５０１を収縮させ、カム部を備えた傾斜動作部４０１が、突き出し孔４０２から突出する。これにより、ターンテーブル１０２上の光ディスク１０１を、スピンドルモーター１０４（ターンテーブル１０２）の回転軸に対して傾斜させることができる。
【０１４５】
これに対し、図６の非傾斜時（傾斜解除時）は、駆動ピン駆動装置５０２が駆動ピン５０１を伸長させて、傾斜動作部４０１の先端をターンテーブル１０２面よりも低い位置にする。これにより、光ディスク１０１は、傾斜状態からターンテーブル１０２に平行な状態になる。
【０１４６】
図５に示す光ディスク１０１をターンテーブル１０２上で傾斜させた状態で、図１に示したスピンドルモーター１０４によってディスク１０１が１回転する間に、再生手段１０５からの照射ビームの光ディスク１０１への入射角度は、図２（ｂ）に示す＋方向２０８から−方向２０９へと変化する。これにより、補正手段１０６ａによって、＋方向２０８時点の再生信号エンベロープレベルと、−方向２０９時点とにおいて、再生信号エンベロープレベルが等しくなるように調整することによって、具体的には光ディスク１０１への照射ビームの入射角度を修正することによって、傾斜した状態の光ディスク１０１が１回転する間の半径方向傾斜面（ディスク表面）に対する照射ビームの入射角度の平均角度を垂直とすることが可能となる。
【０１４７】
接線方向への傾斜に対しても同様に、光ディスク１０１が１回転する間に、再生手段１０５からの照射ビームの光ディスク１０１への入射角度は、図３（ｂ）に示す＋方向３０８から−方向３０９へと変化する。したがって、補正手段１０６ａによって、＋方向３０８時点の再生信号エンベロープレベルと、−方向３０９時点での再生信号エンベロープレベルが等しくなるように調整することによって、具体的には光ディスク１０１への照射ビームの入射角度を修正することによって、傾斜した状態の光ディスク１０１が１回転する間の、接線方向傾斜面に対する入射角度の平均角度を垂直とすることが可能となる。
【０１４８】
また、上記調整手段１００は、図１に示すように、合致手段１５０と、位置信号生成手段７００とを備えており、さらに、上記合致手段１５０は、補正手段（調整手段、合致手段）１０６ａと、コントローラー（調整手段、合致手段）１０８とを備えている。以下に、これらについて詳述する。
【０１４９】
上記コントローラー１０８は、後述する回転トリガ１１０から出力された回転トリガ信号を取得すると、チルトトリガ信号を生成するとともに、チルトトリガ信号の発生した時点の再生信号エンベロープレベルをサンプリング後、メモリし、その差を求め、チルト量が発生した場合には、そのチルト量に応じて補正手段１０６ａを駆動する。そして、チルトトリガ信号が発生した位置での再生信号エンベロープが互いに一致すると、補正手段１０６ａの駆動を終了する。
【０１５０】
上記補正手段１０６ａは、傾斜手段１０３が作動して光ディスク１０１が傾斜している状態において光ディスク１０１が１回転する間の光ディスク１０１表面（傾斜面）に対する、再生手段１０５からの照射ビームの入射角度の平均角度を垂直な状態へ調整する（移行させる）機能を有している。補正手段１０６ａの具体的な動作については後述する。
【０１５１】
位置信号生成手段７００は、発光部および受光部を有するフォトセンサー（生成部）７０１と、マーカー（位置標識部）７０２と、回転トリガ（生成部）１１０とから構成されている。
【０１５２】
上記回転トリガ１１０は、後述する位置信号生成手段７００のフォトセンサー７０１から出力されるパルスに基づいて、位置信号を生成し、コントローラー１０８に出力する。
【０１５３】
上記フォトセンサー（生成部）７０１およびマーカー（位置標識部）７０２については、以下に、図７に基づいて詳述する。
【０１５４】
図７は、位置信号生成手段７００の具体的な構成を示す、光ディスク再生装置１ａの部分斜視図である。
【０１５５】
上記マーカー７０２は、ターンテーブル１０２にあわせて回転する部分に設けられている。具体的には、マーカー７０２は、図７に示すように、ターンテーブル１０２の側面であって、ターンテーブル１０２の中心軸を基準にして、ターンテーブル１０２に配設された傾斜手段１０３の傾斜動作部４０１と同じ位置に配設されている。
【０１５６】
上記フォトセンサー７０１は、ターンテーブル１０２の側面上における上記マーカー７０２を検出して、パルスを発生するように構成されている。
【０１５７】
次に、図８ないし図１１を用いて図１に示す本実施形態の光ディスク再生装置１ａの動作を詳述する。
【０１５８】
ここでは、再生手段１０５が半径方向および接線方向に傾斜している場合であって、かつそれぞれの方向への傾斜に対する再生信号振幅の応答（再生信号エンベロープレベル）に差がある場合を考える。まず、再生手段１０５の接線方向への傾斜（Ｔａｎチルト）量に比べて半径方向への傾斜（Ｒａｄチルト）量が大きい場合は、再生信号エンベロープレベルは図８に示すようになる。これに対し、半径方向の変化（Ｒａｄチルト）に比べて接線方向の変化（Ｔａｎチルト）が大きい場合は、再生信号エンベロープレベルは図９に示すようになる。
【０１５９】
まず、図８の特性をもつ再生手段１０５を備えた光ディスク再生装置１ａの動作について説明する。
【０１６０】
光ディスク再生装置１ａは、上述したように、ターンテーブル１０２上に載置された光ディスク１０１（載置工程）を、上傾斜手段１０３を用いて光ディスク１０１をターンテーブル１０２上で傾斜させる（傾斜工程）と、フォトセンサー７０１が、ターンテーブル１０２の側面のマーカー７０２を検出して、パルスを発生する（位置信号生成工程）。
【０１６１】
図１１（ａ）に、傾斜手段１０３（図１）によって故意に傾斜させた状態で１回転させている光ディスク１０１における、再生手段１０５により生成される再生信号（ＲＦ信号）と（再生信号生成工程）、ＲＦ信号振幅と、回転トリガ１１０が生成する回転トリガ信号と（位置信号生成工程）、コントローラー１０８が生成するチルトトリガ信号と、ラジアルチルト差との関係を示す。
【０１６２】
なお、図１１（ａ）において光ディスク１０１と再生手段１０５との位置関係を示した〔１〕〜〔４〕は、図２５において傾斜手段１０３、再生手段１０５の位置関係を持つ光ディスク１０１上の〔１〕〜〔４〕の位置を再生手段１０５が再生していることを表している。上記したように、マーカー７０２は、ターンテーブル１０２に配設された傾斜手段１０３と同じ位置に配設されているため、フォトセンサー７０１が発生させるパルスの位置が光ディスク１０１の半径方向への傾斜が最大の位置〔１〕を表している。
【０１６３】
すなわち、図１１（ａ）の〔１〕の状態では、光ディスク１０１の表面と再生手段１０５の照射ビームとが形成する角度が、垂直から大きくずれているため、再生信号振幅は小さい。これに対し、図１１（ａ）の〔３〕の状態では、光ディスク１０１と再生手段１０５とが形成する角度が垂直であるために再生信号の振幅は大きい。
【０１６４】
なお、ここで「垂直」とは、完全に垂直である場合のほかに、実質的に垂直であると見なすことができる（所望する効果を得るのに支障が無い程度）場合も含むものとする。
【０１６５】
回転トリガ１１０が生成する回転トリガ信号は、図１１（ａ）では半径方向の傾斜が最大の位置〔１〕であるフォトセンサー７０１によって発生したパルス位置で発生し、図１に示したコントローラー１０８は、この回転トリガ信号発生位置と、この位置から光ディスク１０１が１／２回転した位置とでチルトトリガ信号を生成する。すなわち、チルトトリガ信号は、図１１（ｂ）に示す、半径方向の傾斜が＋方向に最大の時点と、−方向に最大の時点とを表している。本実施形態では、図１１（ａ）に示すように、再生手段１０５が半径方向に傾斜しているため、図１１（ｂ）に示した再生信号エンベロープは、１１０１の位置を中心に±方向に傾斜が発生しており、再生信号振幅およびエンベロープレベルは、〔１〕で最小となり、〔３〕で最大となっている。
【０１６６】
また、コントローラー１０８は、チルトトリガ信号の発生した〔１〕、〔３〕時点の再生信号エンベロープレベルをサンプリング後、メモリし、その差を求める。ここでは、図１１（ｂ）に示すように〔１〕、〔３〕時点のエンベロープレベルに差が有るためチルト量が発生する。コントローラー１０８は、このチルト量に応じて補正手段１０６ａを駆動する。
【０１６７】
コントローラー１０８によって駆動された補正手段１０６ａは、再生手段１０５の傾斜を可変させる。
【０１６８】
その結果、再生手段１０５の傾斜は、図１０（ａ）のとおり変化して、図１０（ｂ）に示すように、再生信号エンベロープは１００１の位置を中心として±方向に半径方向傾斜が発生する。したがって、チルトトリガの発生する〔１〕、〔３〕のエンベロープが一致し、コントローラー１０８は補正手段１０６ａの駆動処理を終了する（調整工程、合致工程）。
【０１６９】
なお、ここで「一致」とは、完全に一致する場合以外に、実質的に一致していると見なすことができる（所望する効果を得るのに支障が無い程度）場合も含む。
【０１７０】
次に、図９の特性をもつ再生手段１０５を備えた光ディスク再生装置１ａの動作について、図１３（ａ）・（ｂ）および図１４（ａ）・（ｂ）に基づいて説明する。
【０１７１】
ここで、本実施形態における光ディスク再生装置１ａは、上記したように、マーカー７０２が、ターンテーブル１０２の側面であって、ターンテーブル１０２の中心軸を基準にして、ターンテーブル１０２に配設された傾斜手段１０３の傾斜動作部４０１と同じ位置に配設されている。すなわち、フォトセンサー７０１が、このマーカー７０２を検出して発生するパルスは、光ディスク１０１の半径方向への傾斜が最大の位置を表している。したがって、光ディスク再生装置１ａが図９の特性をもつ再生手段１０５を備えている場合、図１に示した光ディスク再生装置１ａの構成に加えて、図１２に示すように、遅延手段１１１を備えた光ディスク再生装置１ａ’を用いる。
【０１７２】
上記遅延手段１１１は、フォトセンサー７０１が出力したパルス信号を受けると、このパルス信号を所定時間遅延させる。具体的には、遅延手段１１１は、上記パルス信号を、このパルス信号に対応する光ディスク１０１の位置から１／４回転させるために要する時間遅延し、その位置でコントローラー１０８に遅延信号を出力する（遅延工程）。すなわち、この遅延信号は、光ディスク１０１の接線方向の傾斜が最大となる位置を表す信号である。
【０１７３】
図１４（ａ）に、ターンテーブル１０２上に載置された光ディスク１０１を（載置工程）、傾斜手段１０３（図１）によって故意に傾斜させた状態（傾斜工程）で１回転させている間の、再生手段１０５により生成される再生信号（ＲＦ信号）（再生信号生成工程）と、ＲＦ信号振幅と、回転トリガ１１０が生成する回転トリガ信号（位置信号生成工程）と、コントローラー１０８が生成するチルトトリガ信号と、ラジアルチルト差との関係を示す。なお、図１４（ａ）において光ディスク１０１と再生手段１０５との位置関係を示す〔１〕〜〔４〕は、図１１（ａ）の場合と同様に、図２５における光ディスク１０１上の〔１〕〜〔４〕を示す。
【０１７４】
図１４（ａ）の〔２〕の状態では、光ディスク１０１と再生手段１０５とが形成する角度が、垂直から大きくずれているため、再生信号振幅は小さい。これに対し、図１４（ａ）の〔４〕の状態では、光ディスク１０１と照射ビームとが形成する角度が垂直であるために再生信号の振幅は大きい。
【０１７５】
回転トリガ１１０が生成する回転トリガ信号は、図１４（ａ）では、〔１〕の位置で発生している。
【０１７６】
次に、上記遅延手段１１１が、この回転トリガ信号を受けて、回転トリガ信号に対応する光ディスク１０１の位置から１／４回転した位置（すなわち光ディスク１０１の接線方向の傾斜が最大となる位置〔２〕）に相当する時間遅延した（遅延工程）のち、コントローラー１０８に遅延信号を出力する。コントローラー１０８は、この遅延信号に対応する光ディスク１０１の位置と、この位置から光ディスク１０１が１／２回転した位置、すなわち、マーカー７０２の位置から３／４回転した位置を表すチルトトリガ信号を生成する。すなわち、この場合、接線方向の傾斜が＋方向に最大の時点と−方向に最大の時点を表す。図１４（ａ）では再生手段１０５が紙面右側に傾斜し、光ディスク１０１が紙面左側に傾斜しているため、図１４（ａ）に示した再生信号エンベロープは１３０１の位置を中心に±方向に傾斜が発生しており、再生信号振幅および再生信号エンベロープは〔２〕で最小となり、〔４〕で最大となっている。
【０１７７】
コントローラー１０８は、チルトトリガ信号の発生した〔２〕、〔４〕時点の再生信号エンベロープレベルをサンプリング後、メモリし、その差を求め、この場合、図１３（ｂ）に示すように〔２〕、〔４〕時点のエンベロープレベルに差が有るためチルト量が発生する。コントローラー１０８は、上記のチルト量に応じて補正手段１０６ａを駆動する。
【０１７８】
コントローラー１０８によって駆動された補正手段１０６ａは、再生手段１０５の傾斜を可変させる。
【０１７９】
その結果、再生手段１０５の傾斜は、図１３（ａ）のとおり変化して、再生信号エンベロープは、図１３（ｂ）に示すように１２０１の位置を中心として±方向に接線方向傾斜が発生する。従って、チルトトリガの発生する〔２〕、〔４〕のエンベロープが等しくなり、コントローラー１０８は補正手段１０６ａの駆動処理を終了する（調整工程、合致工程）。
【０１８０】
以上のような動作により、傾斜した状態の光ディスク１０１における半径方向または接線方向の傾斜面に対して、再生手段１０５からの照射レーザーの入射角度の平均角度が垂直な状態となると、傾斜手段１０３は解除され、図６のとおり光ディスク１０１をターンテーブル１０２の上面と平行に載置した構成に戻る。これにより、光ディスク１０１に対する照射レーザーの入射角度は、ディスク全周に渡って垂直をなしており、信号を安定した状態で再生することが可能となる。
【０１８１】
以上のように、再生手段１０５にチルトが発生している場合であっても、再生手段１０５の傾斜を可変することによって、半径方向あるいは接線方向の傾斜が＋方向に最大の時点と−方向に最大の時点を表す再生信号エンベロープレベルのそれぞれの差が無くなり、傾斜した状態の光ディスク１０１における半径方向あるいは接線方向の傾斜面に対して、再生手段１０５からの照射レーザーの入射角度の平均角度が垂直になる。これにより、図６のとおり光ディスク１０１をターンテーブル１０２の上面と平行に載置した構成に戻した後も、光ディスク１０１に対する照射レーザーの入射角度は、ディスク全周に渡って垂直をなしており、信号を安定した状態で再生することが可能となる。
【０１８２】
また、上記した本実施形態では、傾斜した光ディスク１０１表面に対する半径方向または接線方向の入射角度の平均を垂直にする構成としているが、本発明はこれに限定されるものではなく、傾斜した光ディスク１０１表面に対する半径方向および接線方向の双方の入射角度の平均を垂直にする構成としてもよい。以下に、この構成について、図１５（ａ）・（ｂ）および図１６（ａ）・（ｂ）に基づいて説明する。
【０１８３】
再生手段１０５の半径方向傾斜および接線方向傾斜の変化に対する再生信号振幅の応答に差がある場合を考えると、接線方向の変化に比べて半径方向の変化が大きい場合は、図８のとおりとなる。半径方向の変化に比べて接線方向の変化が大きい場合は図９のとおりとなる。
【０１８４】
なお、図１６（ａ）における〔１〕〜〔４〕は、図２５において傾斜手段１０３、再生手段１０５の位置関係を持つ光ディスク１０１上の〔１〕〜〔４〕の位置を再生手段１０５が再生していることを表す。
【０１８５】
図１６（ａ）に、傾斜させた状態で回転させている（傾斜工程）光ディスク１０１における、再生手段１０５により出力される再生信号（ＲＦ信号）と（再生信号生成工程）、ＲＦ信号振幅と、回転トリガ１１０が生成する回転トリガ信号と（位置信号生成工程）、コントローラー１０８が生成するチルトトリガ信号と、ラジアルチルト差との関係を示す。
【０１８６】
図１６（ａ）の〔１〕の状態では、光ディスク１０１と再生手段１０５とが形成する角度が、垂直から大きくずれているため、再生信号振幅は小さい。これに対し、図１６（ａ）の〔４〕の状態では、光ディスク１０１と再生手段１０５とが形成する角度が垂直であるために再生信号の振幅は大きい。
【０１８７】
回転トリガ１１０が生成する回転トリガ信号は、図１６（ａ）では半径方向の傾斜が最大の位置で発生している。コントローラー１０８は、このパルス（回転トリガ信号）に相当する位置と、この位置から１／４、１／２、３／４回転後の位置とを表すチルトトリガ信号を生成する。すなわち、この場合、コントローラー１０８は、半径方向の傾斜が＋方向に最大の時点である０回転後（回転トリガ信号に相当する位置）、−方向に最大の時点をあらわす１／２回転後、接線方向の傾斜が＋方向に最大の時点である１／４回転後、−方向に最大の時点をあらわす３／４回転後のチルトトリガ信号を生成する。
【０１８８】
図１６（ａ）では、再生手段１０５が半径、接線方向に傾斜しているため、図１６（ｂ）に示した再生信号エンベロープは１５０１の位置を中心に±方向に傾斜が発生しており、再生信号振幅および再生信号エンベロープは〔２〕で最小となり、〔４〕で最大となっている。
【０１８９】
コントローラー１０８は、チルトトリガ信号の発生した〔１〕・〔２〕・〔３〕・〔４〕時点の再生信号エンベロープレベルをサンプリング後、メモリし、その差を半径、接線方向のそれぞれ求めるが、図１６（ａ）に示すように、〔１〕・〔３〕時点、および〔２〕・〔４〕時点のエンベロープレベルにそれぞれ差が有るため、半径方向および接線方向の双方ともチルト量が発生する。コントローラー１０８は、このチルト量に応じて補正手段１０６ａを駆動する。
【０１９０】
補正手段１０６ａは、〔１〕・〔３〕時点の再生信号エンベロープの差によって発生したチルト量に応じて、再生手段１０５の傾斜を半径方向に可変させるとともに、〔２〕・〔４〕時点の再生信号エンベロープの差によって発生したチルト量に応じて、再生手段１０５の傾斜を接線方向に可変させる。（調整工程、合致工程）
その結果、再生手段１０５の傾斜は、図１４（ａ）のとおり変化して、図１４（ｂ）に示すように、再生信号エンベロープは１４０１の位置を中心に±方向に半径方向および、接線方向傾斜が発生する。したがって、チルトトリガ信号の発生した〔１〕・〔３〕時点、および〔２〕・〔４〕時点のエンベロープレベルがそれぞれ等しくなり、コントローラー１０８は補正手段１０６ａの駆動処理を終了する。
【０１９１】
以上のような動作により、傾斜した状態の光ディスク１０１における半径方向および接線方向の傾斜面に対して、再生手段１０５からの照射レーザーの入射角度の平均角度が垂直な状態となると、傾斜手段１０３は解除され、図６のとおり光ディスク１０１をターンテーブル１０２の上面と平行に載置した構成に戻る。これにより、光ディスク１０１に対する照射レーザーの入射角度は、ディスク全周に渡って垂直をなしており、信号を安定した状態で再生することが可能となる。
【０１９２】
また、以上の本実施形態の構成では、光ディスク１０１が既にターンテーブル１０２に装着されている状態から、傾斜手段１０３によって当該光ディスク１０１をターンテーブル１０２に対して傾斜させる構成としている。しかしながら、本発明はこれに限定されるものではなく、傾斜手段１０３の傾斜動作部４０１を突出させる際、以下のような構成とすることも可能である。以下に、この構成について図１７および図１８に基づいて説明する。
【０１９３】
図１７（ａ）・（ｂ）は、本実施形態の光ディスク再生装置１ａの部分断面図であり、ターンテーブル１０２と、ターンテーブル１０２上に載置された光ディスク１０１と、光ディスク１０１をターンテーブル１０２上に載置固定するディスクチャッキング手段（固定手段）１６０との構成を示している。図１７（ａ）に示す状態は、光ディスク１０１が、ディスクチャッキング手段１６０によってターンテーブル１０２に強力な力で押し付けられた状態である。図１７（ｂ）に示す状態は、ディスクチャッキング手段１６０が非作動状態となり、光ディスク１０１が、何ら力を加えられていない状態（解除工程）で、ターンテーブル１０２と単に接触している状態を示している。
【０１９４】
すなわち、本発明は、図１７（ｂ）に示す状態で、図５に示した傾斜手段１０３を構成する駆動ピン駆動装置５０２によって傾斜動作部４０１を作動し、ターンテーブル１０２の回転軸に対して光ディスク１０１を傾斜させる構成であってもよい。
【０１９５】
図１７（ｂ）に示す状態は、ターンテーブル１０２上の光ディスク１０１には何ら力が加えられておらず、光ディスク１０１が自在に移動できるような状態となっている。そのため、図１７（ａ）に示す状態と比べ、駆動ピン駆動装置５０２が傾斜動作部４０１を用いて光ディスク１０１を押し上げる駆動力を低減することが可能となる。
【０１９６】
さらに、本発明は、駆動ピン駆動装置５０２が傾斜動作部４０１を作動する間に、図１８に示すように、光ディスク１０１を光ディスク再生装置１ａの外部に排出するように構成されていてもよい。すなわち、傾斜動作部４０１がターンテーブル１０２よりも突出した状態となった時点で、排出していた光ディスク１０１を再度ターンテーブル１０２に載置し、上記した補正動作を行うことが可能である。
【０１９７】
これにより、傾斜動作部４０１を作動時に、ターンテーブル１０２上に光ディスク１０１が存在しないことから、図５に示した駆動ピン駆動装置５０２が光ディスク１０１を押し上げる駆動力を、図１７（ｂ）に示した場合と比較して、さらに低減することが可能となる。
【０１９８】
なお、上記解除手段や、光ディスク１０１を光ディスク再生装置１ａの外部に排出する構成は、一般的な光ディスク再生装置に設けられた、光ディスクを光ディスク再生装置の外部に排出させる排出手段の機能を使用して行うことが可能である。
【０１９９】
なお、以上の本実施形態の構成では、半径方向または接線方向に傾斜した光ディスク１０１表面に対する照射レーザーの入射角度の平均を垂直にする際、再生手段１０５の傾斜を可変させている。しかしながら、本発明はこれに限定されるものではなく、コントローラー１０８および補正手段１０６ａが、上記スピンドルモーター１０４の傾斜を可変するように作動してもよい。以下に、この構成について図１９に基づいて説明する。
【０２００】
図１９は、上記スピンドルモーター１０４の傾斜を可変する場合の構成について示した光ディスク再生装置１ｂのブロック図である。図１９の光ディスク再生装置１ｂは、図１２に示した構成の光ディスク再生装置１ａ’の補正手段１０６ａに代えて、スピンドルモーター１０４の傾斜を可変するように構成された補正手段１０６ａ’を備えている。
【０２０１】
上述したように、スピンドルモーター１０４にはターンテーブル１０２が接続されている。そのため、スピンドルモーター１０４の傾斜を可変すれば、ターンテーブル１０２の傾斜も同時に可変される。
【０２０２】
図１に示した光ディスク再生装置と同様の動作により、遅延手段１１１（またはフォトセンサー７０１（図１））から、図１９に示したコントローラー１０８が信号を受けると、コントローラー１０８は、再生信号エンベロープレベルをサンプリング後、メモリし、その差を求める。ここで、チルト量が発生した場合は、コントローラー１０８は、そのチルト量に応じて補正手段１０６ａ’を駆動する。補正手段１０６ａ’では、スピンドルモーター１０４の傾斜を可変させる。
【０２０３】
このようにスピンドルモーター１０４の傾斜を可変させることによって、再生信号エンベロープの差を無くすることができ、ターンテーブル１０２上の光ディスク１０１の傾斜面と、再生手段１０５からの照射レーザーの入射角度の平均角度を垂直にすることができる。
【０２０４】
これにより、上記と同様に、図６のとおり光ディスク１０１をターンテーブル１０２の上面と平行に載置した構成に戻した後も、光ディスク１０１に対する照射レーザーの入射角度は、ディスク全周に渡って垂直をなしており、信号を安定した状態で再生することが可能である光ディスク再生装置１ｂを提供することができる。
【０２０５】
また、以上で説明した光ディスク再生装置１ａでは、再生手段１０５にチルトが発生している。しかしながら、本発明は、上記スピンドルモーター１０４にチルトが発生している場合であっても対応することができる。
【０２０６】
図２０はスピンドルモーター１０４が傾斜している状態を示した光ディスク再生装置の部分斜視図である。図２０に示すように、上記スピンドルモーター１０４にチルトが発生している場合であっても、上記と同様、再生信号エンベロープの差を無くすように、再生手段１０５の傾斜を可変することによって、半径方向または接線方向に傾斜した光ディスク１０１表面に対する照射レーザーの入射角度の平均を垂直にすることが可能となる。
【０２０７】
これにより、スピンドルモーター１０４にチルトが発生している場合であっても、図６のとおり光ディスク１０１をターンテーブル１０２の上面と平行に載置した構成に戻した後も、光ディスク１０１に対する照射レーザーの入射角度は、ディスク全周に渡って垂直をなしており、信号を安定した状態で再生することが可能となる。
【０２０８】
また、スピンドルモーター１０４にチルトが発生している場合にも、上記と同様に、再生手段１０５ではなく、図１９に示す光ディスク再生装置１ｂの構成とすることによって、スピンドルモーター１０４の傾斜を可変し、半径方向または接線方向に傾斜した光ディスク１０１表面に対する照射レーザーの入射角度の平均を垂直にすることも可能である。
【０２０９】
なおまた、以上の本実施形態の構成では、フォトセンサー７０１と、マーカー７０２から構成された位置信号生成手段７００を備えていたが、本発明は、ディスク傾斜手段を認識することができる手段であれば特に限定されるものではなく、例えば、マグネット(マーカー側)とホール素子(フォトセンサー側)を用いた磁気センサのような構成を備えていてもよい。
【０２１０】
したがって、以上のような構成を備えた本発明の光ディスク再生装置は、従来のように、別途チルトセンサおよびチルト信号処理回路を用意することなく最適なチルト調整が可能となるため、コストダウン、小型化が可能となり部材の使用量削減を図る事が可能となり環境保護につながる。
【０２１１】
また、信号読み出し用光ビームとチルトセンサ光軸にずれを無くすためのチルトセンサ光軸調整工程の廃止により工場消費電力、調整装置の削減が可能となり環境保護につながる。
【０２１２】
また、チルトセンサで検出するディスク上の場所と、信号読み出し用のレーザースポットが読み出す位置のずれや、ディスク最内外周部でチルトセンサがディスク領域から外れることによる検出精度低下の防止が可能となる。
【０２１３】
また、使用するディスクの種類が増加し、ＣＤでは７８０ｎｍ、ＤＶＤでは６５０ｎｍ、Ｂｌｕ−ｒａｙディスクでは４０５ｎｍと異なる波長の光での再生を想定していることから、想定外の波長の光に対するディスク反射率が極端に低いことによる検出精度低下を防止することが可能となる。
【０２１４】
〔実施の形態２〕
本発明にかかる他の実施の形態について、図２１および図２２に基づいて説明すれば以下の通りである。なお、本実施の形態では、上記実施の形態１との相違点について説明するため、説明の便宜上、実施の形態１で説明した部材と同一の機能を有する部材には同一の部材番号を付し、その説明を省略する。
【０２１５】
図２１は、本実施形態の光ディスク再生装置１ｃの構成を示した斜視図である。図２１に示す光ディスク再生装置１ｃは、上記実施の形態１にて説明した光ディスク再生装置１ａ・１ａ’の構成のマーカー７０２に代えて、マーカー７０２’を備えている。マーカー７０２’の具体的な構成について、図２２に基づいて説明する。図２２は、光ディスク再生装置１ｃの部分斜視図である。マーカー７０２’は、図２２に示すように、ターンテーブル１０２の中心軸を基準にして、ターンテーブル１０２に配設された傾斜手段１０３とは異なる位置に配設されている。
【０２１６】
以下に、図２１を用いて、ターンテーブル１０２の中心軸を基準にして、傾斜手段１０３と異なる位置に設けられたマーカー７０２’を有する光ディスク再生装置１ｃについて説明する。
【０２１７】
本実施形態の光ディスク再生装置１ｃのフォトセンサー７０１は、ターンテーブル１０２の側面のマーカー７０２’を検出して、パルスを発生する。光ディスク再生装置１ｃでは、マーカー７０２’が、ターンテーブル１０２に配設された傾斜手段１０３と異なる位置に配設されていることから、図２１に示すように、上記遅延手段１１１を設けている。
【０２１８】
本実施形態においても、上記実施形態１と同様、再生手段１０５が半径方向および接線方向に傾斜している場合であって、かつそれぞれの方向への傾斜に対する再生信号振幅の応答（再生信号エンベロープレベル）に差がある場合を考える。まず、再生手段１０５の接線方向への傾斜（Ｔａｎチルト）量に比べて半径方向への傾斜（Ｒａｄチルト）量が大きい場合は、再生信号エンベロープレベルは図８に示すようになる。これに対し、半径方向の変化（Ｒａｄチルト）に比べて接線方向の変化（Ｔａｎチルト）が大きい場合は、再生信号エンベロープレベルは図９に示すようになる。
【０２１９】
まず、図８の特性をもつ再生手段１０５を備えた光ディスク再生装置１ｃの動作について説明する。
【０２２０】
上記遅延手段１１１には、予めマーカー７０２’と傾斜手段１０３との位置関係を記憶させておくことによって、フォトセンサー７０１からパルス信号を受けると、このパルス信号をその位置関係に相当する時間（所定時間）遅延させた時点で、コントローラー１０８に遅延信号として出力する構成とすればよい。すなわち、遅延手段１１１によって遅延されて出力された遅延信号は、光ディスク１０１の半径方向の傾斜が最大となる位置を表す信号である。
【０２２１】
遅延手段１１１によって遅延されて出力された、光ディスク１０１の半径方向の傾斜が最大となる位置を表す信号がコントローラー１０８に入力されると、この信号に対応する光ディスク１０１の位置（図２５の〔１〕）と、この位置から光ディスク１０１が１／２回転した位置（図２５の〔３〕）とにおける再生信号エンベロープを比較し、チルト量が発生した場合には、そのチルト量に応じて補正手段１０６ａを駆動し、補正手段１０６ａは、再生手段１０５の傾斜を可変する。
【０２２２】
これにより、図２５の〔１〕と〔３〕時点の再生信号エンベロープの差を無くすることができ、ターンテーブル１０２上の光ディスク１０１の傾斜面と、再生手段１０５からの照射レーザーの入射角度の平均角度を垂直にすることができる。
【０２２３】
よって、光ディスク１０１に対する半径方向の入射角度は、ディスク全周に渡って垂直をなしており、信号を安定した状態で再生することが可能となる。
【０２２４】
特に、マーカー７０２と傾斜手段１０３とが同じ位置に配設した実施形態１の光ディスク再生装置１ａ・１ａ’と比較して、本実施形態の光ディスク再生装置１ｃは、光ディスク再生装置１ｃを組み立てる際、マーカー７０２’と傾斜手段１０３との位置合わせを厳密に行う必要がない。すなわち、光ディスク再生装置１ｃの構成とすることによって、組み立て精度の管理が容易になり、製造方法を簡略化することができる。
【０２２５】
次に、図９の特性をもつ再生手段１０５を備えた光ディスク再生装置１ｃの動作について、説明する。
【０２２６】
図９の特性をもつ再生手段１０５を備えた光ディスク再生装置１ｃの場合は、遅延手段１１１には予めマーカー７０２’と傾斜手段１０３との位置関係を記憶させておくことによって、フォトセンサー７０１からパルス信号を受けると、光ディスク１０１の接線方向の傾斜が最大となる位置を表す信号、すなわち、フォトセンサー７０１が出力した、傾斜手段１０３の位置に対応した光ディスク１０１の位置のパルス信号から光ディスク１０１が１／４回転した位置を表す信号を、遅延信号として、コントローラー１０８に出力するように構成する。
【０２２７】
コントローラー１０８では、遅延手段１１１から出力された遅延信号が入力されると、この信号に対応する光ディスク１０１の位置〔図２５の〔２〕〕と、この位置から光ディスク１０１が１／２回転した位置（図２５の〔４〕）とにおける再生信号エンベロープを比較し、チルト量が発生した場合には、そのチルト量に応じて補正手段１０６ａを駆動し、補正手段１０６ａによって、再生手段１０５の傾斜を可変する。
【０２２８】
これにより、光ディスク１０１に対する接線方向の入射角度をディスク全周に渡って垂直となるようにすることが可能となる。
【０２２９】
以上のような動作により、傾斜した状態の光ディスク１０１における半径方向あるいは接線方向の傾斜面に対して、再生手段１０５からの照射レーザーの入射角度の平均角度が垂直な状態となると、傾斜手段１０３は解除され、図６のとおり光ディスク１０１をターンテーブル１０２の上面と平行に載置した構成に戻る。これにより、光ディスク１０１に対する照射レーザーの入射角度は、ディスク全周に渡って垂直をなしており、信号を安定した状態で再生することが可能となる。
【０２３０】
以上のように、再生手段１０５にチルトが発生している場合であっても、再生手段１０５の傾斜を可変することによって、半径方向あるいは接線方向の傾斜が＋方向に最大の時点と−方向に最大の時点を表す再生信号エンベロープレベルのそれぞれの差が無くなり、傾斜した状態の光ディスク１０１における半径方向あるいは接線方向の傾斜面に対して、再生手段１０５からの照射レーザーの入射角度の平均角度が垂直になる。これにより、図６のとおり光ディスク１０１をターンテーブル１０２の上面と平行に載置した構成に戻した後も、光ディスク１０１に対する照射レーザーの入射角度は、ディスク全周に渡って垂直をなしており、信号を安定した状態で再生することが可能となる。
【０２３１】
なお、上記した本実施形態では、傾斜した光ディスク１０１表面に対する半径方向または接線方向の入射角度の平均を垂直にする構成としているが、本発明はこれに限定されるものではなく、傾斜した光ディスク１０１表面に対する半径方向および接線方向の双方の入射角度の平均を垂直にする構成としてもよい。以下に、この構成について説明する。
【０２３２】
傾斜した光ディスク１０１表面に対する半径方向および接線方向の双方の入射角度の平均を垂直にする構成とした場合であっても、マーカー７０２’がターンテーブル１０２に配設された傾斜手段１０３と異なる位置に配設されていることから、上記と同様、遅延手段１１１に予めマーカー７０２’と傾斜手段１０３との位置関係を記憶させておく。具体的には、遅延手段１１１が、光ディスク１０１の半径方向の傾斜が最大となる位置を表す信号を出力するように構成する。
【０２３３】
コントローラー１０８は、半径方向の傾斜が＋方向に最大の時点である０回転後（遅延手段によって出力された遅延信号に相当する光ディスク１０１の位置）、−方向に最大の時点をあらわす１／２回転後、接線方向の傾斜が＋方向に最大の時点である１／４回転後、−方向に最大の時点をあらわす３／４回転後のチルトトリガ信号を生成する。
【０２３４】
コントローラー１０８は、上記したチルトトリガ信号の発生した時点の再生信号エンベロープレベルをサンプリング後、メモリし、その差を半径、接線方向のそれぞれ求める。半径、接線方向のそれぞれの場合において、チルト量が発生した場合、コントローラー１０８は、このチルト量に応じて補正手段１０６ａを駆動する。
【０２３５】
補正手段１０６ａは、半径方向に関するチルト量に応じて、再生手段１０５の傾斜を半径方向に可変させるとともに、接線方向に関するチルト量に応じて、再生手段１０５の傾斜を接線方向に可変させる。
【０２３６】
この動作により、チルトトリガ信号の発生した上記の４点でのエンベロープレベルがそれぞれ等しくなり、コントローラー１０８は補正手段１０６ａの駆動処理を終了する。
【０２３７】
以上により、傾斜した状態の光ディスク１０１における半径方向および接線方向の傾斜面に対して、再生手段１０５からの照射レーザーの入射角度の平均角度が垂直な状態となると、傾斜手段１０３は解除され、図６のとおり光ディスク１０１をターンテーブル１０２の上面と平行に載置した構成に戻る。これにより、光ディスク１０１に対する照射レーザーの入射角度は、ディスク全周に渡って垂直をなしており、信号を安定した状態で再生することが可能となる。
【０２３８】
なお、本実施形態では、傾斜した光ディスク１０１表面に対する半径方向および接線方向の双方の入射角度の平均を垂直にする構成とした場合に、遅延手段１１１が、光ディスク１０１の半径方向の傾斜が最大となる位置を表す信号を出力するように構成している。しかしながら、本発明はこれに限定するものではなく、遅延手段１１１が、光ディスク１０１の接線方向の傾斜が最大となる位置を表す信号を出力するように構成してもよい。
【０２３９】
なお、本実施形態における光ディスク再生装置１ｂも、上記実施の形態１の光ディスク再生装置１ａと同様に、再生手段１０５にチルトが発生している場合に、コントローラー１０８および補正手段１０６ａが、上記スピンドルモーター１０４の傾斜を可変するように作動してもよい。
【０２４０】
また、スピンドルモーター１０４にチルトが発生している場合であっても対応することができる。
【０２４１】
〔実施の形態３〕
本発明にかかる他の実施の形態について、図２３および図２４に基づいて説明すれば以下の通りである。なお、本実施の形態では、上記実施の形態１との相違点について説明するため、説明の便宜上、実施の形態１で説明した部材と同一の機能を有する部材には同一の部材番号を付し、その説明を省略する。
【０２４２】
図２３は、本実施形態の光ディスク再生装置１ｄの構成を示したブロック図である。図２３に示す光ディスク再生装置１ｄは、上記実施の形態１にて説明した光ディスク再生装置１ａ・１ａ’の補正手段１０６ａに代えて、図２３に示すように、補正手段（シャッター機構）１０６ｂを備えている。補正手段１０６ｂは、図２３に示すように、再生手段１５に配設されている。
【０２４３】
以下に、図２４に基づいて、補正手段１０６ｂについて詳述する。
【０２４４】
図２４は、補正手段１０６ｂの構成を示したブロック図である。上記補正手段１０６ｂは、図２４に示すように、液晶シャッター２２ａと、液晶シャッター制御部２２ｂとから構成されている。液晶シャッター２２ａは、図２３に示す再生手段１０５内部の図示しない対物レンズとディテクタとの間に配設されている。
【０２４５】
上記液晶シャッター２２ａは、図２４に示すように、シャッター部Ａ〜Ｄに区分された複数のシャッター部から構成されている。区分された複数のシャッター領域ごとに印加電圧により透過光量を調節することができる。具体的には、シャッター部Ａ〜Ｄのうち、半径方向のチルトに伴って照射レーザーがずれ込む領域であるシャッター部Ａ、Ｂを半径方向チルト補正用シャッター部とすると共に、タンジェンシャル方向のチルトに伴って照射レーザーがずれ込む領域であるシャッター部Ｃ、Ｄを接線方向チルト補正用シャッター部としている。
【０２４６】
上記シャッター部Ａ〜Ｄのシャッター機能は、それぞれ液晶シャッター制御部２２ｂによって制御されている。
【０２４７】
以下に、上記の構成を備えた本実施形態の光ディスク再生装置１ｄの動作を説明する。
【０２４８】
図２３に示す光ディスク再生装置１ｄにおいて、再生手段１０５からの照射ビームを、傾斜手段１０３によって故意に傾斜させた状態（傾斜工程）で回転させている光ディスク１０１に照射すると、光ディスク１０１によって反射された照射ビームの戻り光に基づいて、再生手段１０５によって再生信号が生成される（再生信号生成工程）。
【０２４９】
ターンテーブル１０２にはマーカー７０２が設けられており、フォトセンサー７０１は、光ディスク１０１の回転中に、このマーカー７０２を検出して、パルスを発生する。回転トリガ１１０では、このパルスを受けて、回転トリガ信号を出力する。コントローラー１０８は、回転トリガ信号に基づいて、フォトセンサー７０１のパルスに相当する位置と、この位置から１／４、１／２、３／４回転後の位置とを表すチルトトリガ信号を生成する。すなわち、この場合、コントローラー１０８は、半径方向の傾斜が＋方向に最大の時点である０回転後（フォトセンサー７０１のパルスに相当する位置）、−方向に最大の時点をあらわす１／２回転後、接線方向の傾斜が＋方向に最大の時点である１／４回転後、−方向に最大の時点をあらわす３／４回転後のチルトトリガ信号を生成する。
【０２５０】
さらに、コントローラー１０８は、チルトトリガ信号の発生した４つの位置の再生信号エンベロープレベルをサンプリング後、メモリし、その差を求め、チルト量を発生させる。
【０２５１】
図２４に示した補正手段１０６ｂは、液晶シャッター制御部２２ｂにおいて、コントローラー１０８で発生したチルト量を、シャッター部Ａ、Ｂを制御する半径方向チルト補正制御信号として、また、シャッター部Ｃ、Ｄを制御する接線方向チルト補正制御信号としてそれぞれ入力する。
【０２５２】
液晶シャッター制御部２２ｂでは、上記の半径方向チルト補正制御信号に基づいて、シャッター部Ａ、Ｂを制御し、上記の接線方向チルト補正制御信号に基づいて、シャッター部Ｃ、Ｄを制御する。
【０２５３】
これにより、シャッター部Ａ、Ｂにおける照射ビームの透過光量を調節することによって、半径方向の傾斜が＋方向に最大の時点である０回転後（回転トリガ信号に相当する位置）、−方向に最大の時点をあらわす１／２回転後の再生信号エンベロープレベルの差を無くすことができ、また、接線方向の傾斜が＋方向に最大の時点である１／４回転後、−方向に最大の時点をあらわす３／４回転後の再生信号エンベロープレベルの差を無くすことができる。
【０２５４】
以上のように、本実施形態によれば、再生手段１０５にチルトが発生している場合であっても、シャッター部Ａ、Ｂにおける照射ビームの透過光量を調節し、半径方向あるいは接線方向の傾斜が＋方向に最大の時点と−方向に最大の時点を表す再生信号エンベロープレベルのそれぞれの差が無くすことができる。
【０２５５】
これにより、図６のとおり光ディスク１０１をターンテーブル１０２の上面と平行に載置した構成に戻した後も、光ディスク１０１に対する照射レーザーの入射角度は、ディスク全周に渡って垂直をなしており、信号を安定した状態で再生することが可能となる。
【０２５６】
なお、本発明は、図２２に示すシャッター部Ａ〜Ｄに区分された複数のシャッター部から構成された液晶シャッター２２ａに限定されるものではなく、半径方向あるいは接線方向の傾斜が＋方向に最大の時点と−方向に最大の時点を表す再生信号エンベロープレベルのそれぞれの差が無くすことができる構成であればよい。
【０２５７】
なお、本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２５８】
本発明の光ディスク再生装置およびチルト調整方法は、装置を大型化させることなく、対物レンズやスピンドルモーターのチルト調整を可能にした、良好な再生品質を保つことができる。
【０２５９】
したがって、ＣＤ、ＤＶＤ、Ｂｌｕ−ｒａｙディスクといった光ディスクを再生する機能を有する光ディスク再生装置、光ディスク記録再生装置に適用することができる。
【図面の簡単な説明】
【０２６０】
【図１】本発明の第１の実施形態に係る光ディスク再生装置の構成を示すブロック図である。
【図２】（ａ）は一般的な光ディスク再生装置に設けられた再生手段における半径方向傾斜に対する再生信号等の特性を示したグラフであり、（ｂ）は（ａ）に基づく再生信号エンベロープを示したグラフである。
【図３】（ａ）は一般的な光ディスク再生装置に設けられた再生手段における接線方向傾斜に対する再生信号等の特性を示したグラフであり、（ｂ）は（ａ）に基づく再生信号エンベロープを示したグラフである。
【図４】図１に示した光ディスク再生装置に設けられた傾斜手段の一部の構成を示した平面図である。
【図５】図１に示した光ディスク再生装置に設けられた傾斜手段の構成を示した断面図であり、傾斜手段作動時の状態を示している。
【図６】図１に示した光ディスク再生装置に設けられた傾斜手段の構成を示した断面図であり、傾斜手段非作動時（傾斜解除時）の状態を示している。
【図７】図１に示した光ディスク再生装置に設けられた位置信号生成手段の構成を示した部分斜視図である。
【図８】図１に示した光ディスク再生装置に設けられた再生手段の半径方向および接線方向傾斜に対する再生信号エンベロープ特性を示したグラフである。
【図９】図１に示した光ディスク再生装置に設けられた再生手段の半径方向および接線方向傾斜に対する再生信号エンベロープ特性を示したグラフである。
【図１０】図１に示した本発明の第１の実施形態に係る光ディスク再生装置に半径方向のチルトが発生していない状態において、（ａ）は再生信号等の特性を示したグラフであり、（ｂ）は再生信号エンベロープを示したグラフである。
【図１１】図１に示した本発明の第１の実施形態に係る光ディスク再生装置に半径方向のチルトが発生している状態において、（ａ）は再生信号等の特性を示したグラフであり、（ｂ）は再生信号エンベロープを示したグラフである。
【図１２】本発明の第１の実施形態に係る光ディスク再生装置の他の構成を示したブロック図である。
【図１３】図１２に示した本発明の第１の実施形態に係る光ディスク再生装置に接線方向のチルトが発生していない状態において、（ａ）は再生信号等の特性を示したグラフであり、（ｂ）は再生信号エンベロープを示したグラフである。
【図１４】図１２に示した本発明の第１の実施形態に係る光ディスク再生装置に接線方向のチルトが発生している状態において、（ａ）は再生信号等の特性を示したグラフであり、（ｂ）は再生信号エンベロープを示したグラフである。
【図１５】図１に示した本発明の第１の実施形態に係る光ディスク再生装置に半径方向および接線方向のチルトが発生していない状態において、（ａ）は再生信号等の特性を示したグラフであり、（ｂ）は再生信号エンベロープを示したグラフである。
【図１６】図１に示した本発明の第１の実施形態に係る光ディスク再生装置に半径方向および接線方向のチルトが発生している状態において、（ａ）は再生信号等の特性を示したグラフであり、（ｂ）は再生信号エンベロープを示したグラフである。
【図１７】（ａ）および（ｂ）は、本発明の第１の実施形態に係る光ディスク再生装置の部分断面図である。
【図１８】本発明の第１の実施形態に係る光ディスク再生装置の部分断面図である。
【図１９】本発明の第１の実施形態に係る光ディスク再生装置の他の構成を示したブロック図である。
【図２０】本発明の第１の実施形態に係る光ディスク再生装置に設けられたスピンドルモーターにチルトが発生している状態を示した部分斜視図である。
【図２１】本発明の第２の実施形態に係る光ディスク再生装置のブロック図である。
【図２２】図２１に示す本発明の第２の実施形態に係る光ディスク再生装置の部分斜視図である。
【図２３】本発明の第３の実施形態に係る光ディスク再生装置の構成を示すブロック図である。
【図２４】図２２に示す本発明の第３の実施形態に係る光ディスク再生装置に設けられた補正手段の構成を平面図である。
【図２５】光ディスク上における、本発明に係る光ディスク再生装置の再生手段が再生する位置を示す光ディスクの平面図である。
【符号の説明】
【０２６１】
１ａ、１ａ’，１ｂ、１ｃ、１ｄ      光ディスク再生装置
１００        調整手段
１０２        ターンテーブル
１０３        傾斜手段
１０４        スピンドルモーター
１０５        再生手段
１０６ａ、１０６ａ’      補正手段
１０６ｂ        補正手段（シャッター機構）
１０８        コントローラー
１１０        回転トリガ（生成部）
１１１        遅延手段
１５０        合致手段
１６０        ディスクチャッキング手段（固定手段）
７００        位置信号生成手段
７０１    フォトセンサー（生成部）
７０２、７０２’    マーカー（位置標識部）
【図１】
2007018578.tif 000003
【図２】
2007018578.tif 000004
【図３】
2007018578.tif 000005
【図４】
2007018578.tif 000006
【図５】
2007018578.tif 000007
【図６】
2007018578.tif 000008
【図７】
2007018578.tif 000009
【図８】
2007018578.tif 000010
【図９】
2007018578.tif 000011
【図１０】
2007018578.tif 000012
【図１１】
2007018578.tif 000013
【図１２】
2007018578.tif 000014
【図１３】
2007018578.tif 000015
【図１４】
2007018578.tif 000016
【図１５】
2007018578.tif 000017
【図１６】
2007018578.tif 000018
【図１７】
2007018578.tif 000019
【図１８】
2007018578.tif 000020
【図１９】
2007018578.tif 000021
【図２０】
2007018578.tif 000022
【図２１】
2007018578.tif 000023
【図２２】
2007018578.tif 000024
【図２３】
2007018578.tif 000025
【図２４】
2007018578.tif 000026
【図２５】
2007018578.tif 000027